(57)【特許請求の範囲】
【請求項１】
玄関先の訪問者との間で少なくとも音声による応対を行うための屋外インターフォン手段と、前記屋外インターフォン手段と接続され屋内で前記訪問者との間で少なくとも音声による応対を行うための屋内インターフォン手段と、を備えたインターフォンシステムにおいて、公衆回線に接続された親機と、前記屋内では前記親機と無線接続してコードレス電話機として機能するとともに、屋外に持ち出されると公衆基地局と接続して携帯電話機として機能する携帯通信端末と、前記屋外インターフォン手段を前記屋内インターフォン手段と前記親機とに択一的に接続する接続切換手段と、前記携帯通信端末が前記屋内にあるか前記屋外にあるかを判別し、前記携帯通信端末が前記屋内にあると、前記接続切換手段に前記屋外インターフォン手段を前記屋内インターフォン手段に接続させて当該屋内インターフォンを使用した応対を可能とし、前記携帯通信端末が前記屋外に持ち出されると、前記接続切換手段に前記屋外インターフォン手段を前記親機に接続させて、前記親機を介して接続される前記携帯通信端末を使用した応対を可能とする制御手段と、を備えたことを特徴とするインターフォンシステム。
【請求項２】
前記インターフォンシステムは、前記屋外インターフォン手段を通して前記訪問者に通知する所定の音声メッセージを発生するメッセージ発生手段をさらに備え、前記メッセージ発生手段は、前記屋外インターフォン手段が前記親機を介して前記携帯通信端末に接続されると、前記音声メッセージを前記屋外インターフォン手段から出力することを特徴とする請求項１記載のインターフォンシステム。
【請求項３】
前記インターフォンシステムは、前記屋外インターフォン手段を通して前記訪問者に通知する複数の音声メッセージを発生するメッセージ発生手段と、前記メッセージ発生手段の発生する複数の音声メッセージの１つを選択して前記屋外インターフォン手段から出力させるメッセージ選択手段と、をさらに備え、前記メッセージ選択手段は、前記屋外インターフォン手段が前記親機を介して前記携帯通信端末に接続されると、前記携帯通信端末からの所定の制御信号に基づいて、前記メッセージ発生手段の発生する複数の音声メッセージの１つを選択して前記屋外インターフォン手段から出力させることを特徴とする請求項１記載のインターフォンシステム。
【請求項４】
前記インターフォンシステムは、前記屋外インターフォン手段を前記親機を介して前記携帯通信端末に接続した際に前記親機からの来訪に対する呼出であることを示す来訪信号を前記携帯通信端末に出力する来訪信号発生手段を、さらに備え、前記携帯通信端末は、前記来訪信号を受信すると、通常の電話呼出とは異なる呼出形態で呼出を行う呼出形態変更手段を、さらに備えていることを特徴とする請求項１から請求項３のいずれかに記載のインターフォンシステム。
【請求項５】
前記インターフォンシステムは、前記屋外インターフォン手段を前記親機を介して前記携帯通信端末に接続した際に前記親機からの来訪に対する呼出である旨の来訪情報信号を前記携帯通信端末に出力する来訪情報信号発生手段を、さらに備え、前記携帯通信端末は、前記来訪情報信号を受信すると、呼出を行う際に来訪呼出である旨の情報を表示する呼出表示手段を、さらに備えていることを特徴とする請求項１から請求項４のいずれかに記載のインターフォンシステム。
【請求項６】
前記屋外インターフォン手段は、所定のメッセージを用紙に記録して前記訪問者に提示する記録手段を、さらに備え、前記制御手段は、前記屋外インターフォン手段を前記親機を介して前記携帯通信端末に接続し、前記携帯通信端末からメッセージ情報が送られてくると、前記記録手段に当該メッセージ情報に対応したメッセージを記録出力させることを特徴とする請求項１から請求項５のいずれかに記載のインターフォンシステム。
【請求項７】
前記屋外インターフォン手段は、荷物を受け取って収納する荷物受取ボックスと、前記訪問者が挿入する用紙の画像を読み取る読取手段と、前記読取手段に挿入された前記用紙に所定の捺印またはサイン等を行う捺印手段と、前記読取手段に挿入された前記用紙を読み取った後、前記訪問者にそのまま返却する搬送経路と前記捺印手段に搬送した後前記訪問者に返却する搬送経路とを切り換える搬送経路切換手段と、をさらに備え、前記制御手段は、前記屋外インターフォン手段を前記親機を介して前記携帯通信端末に接続した際、前記荷物受取ボックスに前記荷物が投入されて、前記読取手段に前記用紙が挿入され、前記携帯通信端末から捺印を指示する捺印信号が入力されると、前記搬送経路切換手段により前記搬送経路を前記捺印手段に切り換えさせて、前記読取手段の読み取った前記用紙の画像情報に基づいて前記捺印手段で前記用紙の所定位置に捺印処理を行わせた後、当該用紙を排出させることを特徴とする請求項１から請求項６のいずれかに記載のインターフォンシステム。
【請求項８】
前記屋外インターフォン手段は、前記訪問者が挿入する用紙の画像を読み取る読取手段を、さらに備え、前記インターフォンシステムは、前記読取手段の読み取った前記用紙の画像を前記親機を介して前記携帯通信端末にファクシミリ送信するファクシミリ送信手段を、さらに備え、前記制御手段は、前記屋外インターフォン手段を前記親機を介して前記携帯通信端末に接続した際、前記読取手段に前記用紙が挿入されると、当該用紙を前記読取手段に読み取らせて、当該読み取られ画像を前記ファクシミリ送信手段に予め指定されたファクシミリ装置へ送信させることを特徴とする請求項１から請求項７のいずれかに記載のインターフォンシステム。
【請求項９】
前記インターフォンシステムは、前記親機を介して公衆回線からファクシミリ受信を行うファクシミリ通信手段をさらに備え、前記屋外インターフォン手段は、前記ファクシミリ受信手段の受信したファクシミリ画像を用紙に記録して前記訪問者に提示する記録手段をさらに備え、前記制御手段は、前記屋外インターフォン手段を前記親機を介して前記携帯通信端末に接続した際、前記ファクシミリ受信手段が所定のファクシミリ装置からファクシミリ画像を受信すると、当該ファクシミリ画像を前記記録手段に記録出力させ、あるいは、前記携帯通信端末からのファクシミリ受信を指定するファクシミリ受信信号に応じて前記ファクシミリ通信手段に予め指定されたファクシミリ装置へのポーリング受信を行わせて、当該ポーリング受信で受信したファクシミリ画像を前記記録手段に記録出力させることを特徴とする請求項１から請求項８のいずれかに記載のインターフォンシステム。
【請求項１０】
前記屋外インターフォン手段は、前記玄関先の訪問者の映像を撮影する撮影手段をさらに備え、前記携帯通信端末は、所定の表示手段をさらに備え、前記制御手段は、前記屋外インターフォン手段を前記親機を介して前記携帯通信端末に接続した際、前記撮影手段の撮影した映像を前記親機を介して前記携帯通信端末に送信し、前記携帯通信端末は、前記送信されてきた映像を前記表示手段に表示出力することを特徴とする請求項１から請求項９のいずれかに記載のインターフォンシステム。
【請求項１１】
前記屋外インターフォン手段は、前記玄関先の訪問者の映像を撮影する撮影手段をさらに備え、前記インターフォンシステムは、前記撮影手段の撮影した映像をファクシミリ画像としてファクシミリ送信するファクシミリ送信手段を、さらに備え、前記制御手段は、前記屋外インターフォン手段を前記親機を介して前記携帯通信端末に接続した際、前記撮影手段の撮影した映像を前記ファクシミリ送信手段に予め指定されたファクシミリ装置にファクシミリ送信させることを特徴とする請求項１から請求項１０のいずれかに記載のインターフォンシステム。
【発明の詳細な説明】
【０００１】
【発明の属する技術分野】
本発明は、インターフォンシステムに関し、詳細には、携帯通信端末を使用した応対を適切に行うことのできるインターフォンシステムに関する。
【０００２】
【従来の技術】
従来、インターフォンシステムにおいては、例えば、特開平５−２３６１８９号公報に記載されているように、所定のトリガー信号に基づいて、来客をビデをカメラで撮影して、当該ビデオカメラから出力されるビデオ信号を取り込んでメモリに記憶し、メモリに記憶された信号を順次読み出してファクシミリの規格に準拠した信号に変換して出力するものが提案されている。
【０００３】
また、従来、留守管理システムとして、住宅、事業所などの留守管理システムであって、不在時に外来者の訪問があったとき、その外来者に応対して、外来者から発せられる意志表示を接受し、あるいはその発せられた意志表示に対する回答を外来者に伝達するための、外来者対応機器と、該外来者対応機器とインターフェースを介して接続された中央処理装置と、データやプログラムを記憶する記憶装置と、情報送受信装置と、を住宅、事業所などの側に配置するとともに、外出時に携帯する携帯端末に、中央処理装置と、データやプログラムを記憶する記憶装置と、情報送受信装置と、を含ませておき、住宅、事業所などの側で、中央処理装置が記憶装置から読み出したプログラムにより作成した保守管理用の情報と、携帯端末の側で、中央処理装置が記憶装置から読み出したプログラムにより作成した保守管理用の情報と、を住宅、事業所などの側と携帯端末の側との間で相互にお互いの送受信装置で送受信するようにした留守管理システムが提案されている（特開平７−７５６１号公報参照）。
【０００４】
そして、この留守管理システムにおいては、宅配便等を含む配達物を受け取る配達物受取装置を備え、この配達物受取装置が、配達物受取のサインまたは捺印を行う手段を備えたものがさらに開示されている。
【０００５】
【発明が解決しようとする課題】
しかしながら、このような従来のインターフォンシステムにあっては、外出先での利用性を向上させる上でなお改良の必要があった。
【０００６】
すなわち、特開平５−２３６１８９号公報記載のインターフォンシステムにあっては、ビデオカメラで撮影した映像をファクシミリ送信することはできるが、外出先が時々刻々と変化する場合には、映像をファクシミリ送信する送信先を切り換えて送信することができず、不便であるという問題があった。
【０００７】
また、特開平７−７５６１号公報記載の留守管理システムにあっては、携帯端末と外来者対応機器との間で情報の送受信を行って、携帯端末を利用した留守管理を行うことはできるが、この携帯端末は、留守管理システム専用の携帯端末であり、汎用性及び利用性を向上させる上で改良の必要があった。また、この留守管理システムにあっては、配達物受取装置により配達物受取のサインあるいは捺印を行うことはできるが、この配達物受取装置は、宅配便等の配達物の受取専用であり、コストが高くつくとともに、汎用性を向上させる上でなお改良の必要があった。
【０００８】
そこで、請求項１記載の発明は、屋内では公衆回線に接続された親機と無線接続してコードレス電話機として機能するとともに、屋外に持ち出されると公衆基地局と接続して携帯電話機として機能する携帯通信端末が、屋内にあるか屋外にあるかを判別し、携帯通信端末が屋内にあると、玄関先の訪問者と少なくとも音声による応対を行うための屋外インターフォン手段を屋内インターフォン手段に接続して屋内インターフォン手段を使用した応対を可能とし、携帯通信端末が屋外に持ち出されると、屋外インターフォン手段を親機に接続して、親機を介して接続される携帯通信端末を使用した応対を可能とすることにより、いちいち留守設定等を行うことなく、携帯通信端末を携帯して外出した際に、玄関先の訪問者と携帯通信端末を使用した応対を行えるようにし、利用性の良好なインターフォンシステムを提供することを目的としている。
【０００９】
請求項２記載の発明は、屋外インターフォン手段が親機を介して携帯通信端末に接続されると、所定の音声メッセージを屋外インターフォン手段を通して出力することにより、外出先でインターフォン呼出に対して応答することができない場合や重要な訪問者の来訪の予定のない場合等に訪問者に対して所定の音声メッセージを流して、携帯通信端末で応対することなく、音声メッセージで適切に応対し、より一層利用性の良好なインターフォンシステムを提供することを目的としている。
【００１０】
請求項３記載の発明は、屋外インターフォン手段が親機を介して携帯通信端末に接続されると、携帯通信端末からの所定の制御信号に基づいて、複数の音声メッセージの１つを選択して屋外インターフォン手段を通して出力させることにより、悪徳セールスマンや新聞の集金の来訪等の訪問者の種別等に応じて音声メッセージを適宜選択して出力して、訪問者の種別に適した応対を行えるようにし、より一層利用性の良好なインターフォンシステムを提供することを目的としている。
【００１１】
請求項４記載の発明は、屋外インターフォン手段を親機を介して携帯通信端末に接続した際に親機からの来訪に対する呼出であることを示す来訪信号を携帯通信端末に出力し、携帯通信端末が、来訪信号を受信すると、通常の電話呼出とは異なる呼出形態、例えば、呼出音を変化させたり、バイブレーションを変化させる等の呼出形態で呼出を行うことにより、来訪による呼出であるか通常の電話による呼出であるかが分かるようにし、当該呼出に応対する際に適切な応対を可能として、より一層利用性の良好なインターフォンシステムを提供することを目的としている。
【００１２】
請求項５記載の発明は、屋外インターフォン手段を親機を介して携帯通信端末に接続した際に親機からの来訪に対する呼出であることを示す来訪情報信号を携帯通信端末に出力し、携帯通信端末が、来訪情報信号を受信すると、呼出を行う際に来訪呼出である旨の情報を呼出表示手段に表示することにより、周囲の雑音等に影響されることなく、来訪による呼出であるか通常の電話による呼出であるかがより一層確実に分かるようにし、当該呼出に応対する際により適切な応対を可能として、より一層利用性の良好なインターフォンシステムを提供することを目的としている。
【００１３】
請求項６記載の発明は、屋外インターフォン手段を親機を介して携帯通信端末に接続し、携帯通信端末からメッセージ情報が送られてくると、記録手段で当該メッセージ情報に対応したメッセージを記録出力して訪問者に提示することにより、訪問者に適切にメッセージを伝達し、より一層適切な応対を可能として、より一層利用性の良好なインターフォンシステムを提供することを目的としている。
【００１４】
請求項７記載の発明は、屋外インターフォン手段を親機を介して携帯通信端末に接続した際、荷物受取ボックスに荷物が投入されて、読取手段に用紙が挿入され、携帯通信端末から捺印を指示する捺印信号が入力されると、搬送経路切換手段により読取手段の読み取った用紙を捺印手段に搬送して、読取手段の読み取った用紙の画像情報に基づいて捺印手段で用紙の所定位置に捺印処理を行った後、当該用紙を排出することにより、宅配便等で伝票等の用紙に捺印やサイン等を必要とする場合にも、適切に捺印を行い、より一層適切な応対を可能とするとともに、通常のファクシミリ装置に捺印手段と搬送路切換手段を設けるだけで捺印処理を行って用紙を訪問者に排出して、安価で、かつ、より一層利用性の良好なインターフォンシステムを提供することを目的としている。
【００１５】
請求項８記載の発明は、屋外インターフォン手段を親機を介して携帯通信端末に接続した際、読取手段に挿入された用紙を読み取って、当該読み取った画像を予め指定されたファクシミリ装置へ送信することにより、宅配便の伝票等の訪問者の提示した用紙をファクシミリ送信されてきた画像で確認して、訪問者の用件を適切かつ確実に把握し、より一層適切な応対を可能として、より一層利用性の良好なインターフォンシステムを提供することを目的としている。
【００１６】
請求項９記載の発明は、屋外インターフォン手段を親機を介して携帯通信端末に接続した際、所定のファクシミリ装置からファクシミリ画像を受信すると、当該ファクシミリ画像を記録手段で記録出力し、あるいは、携帯通信端末からのファクシミリ受信を指定するファクシミリ受信信号に応じて予め指定されたファクシミリ装置へのポーリング受信を行って、当該ポーリング受信で受信したファクシミリ画像を記録手段で記録出力することにより、訪問者に応じたメッセージを文書あるいは画像として提示し、より一層適切な応対を可能として、より一層利用性の良好なインターフォンシステムを提供することを目的としている。
【００１７】
請求項１０記載の発明は、屋外インターフォン手段を親機を介して携帯通信端末に接続した際、撮影手段で玄関先の訪問者の映像を撮影して、当該撮影した映像を親機を介して携帯通信端末に送信し、携帯通信端末で送信されてきた映像を表示手段に表示出力することにより、遠隔地で訪問者が誰であるかを映像により携帯通信端末で確認可能とし、より一層適切な応対を可能として、より一層利用性の良好なインターフォンシステムを提供することを目的としている。
【００１８】
請求項１１記載の発明は、屋外インターフォン手段を親機を介して携帯通信端末に接続した際、撮影手段の撮影した映像を予め指定されたファクシミリ装置にファクシミリ送信することにより、遠隔地で訪問者が誰であるかをより鮮明で大きな映像により確認可能とし、より一層適切な応対を可能として、より一層利用性の良好なインターフォンシステムを提供することを目的としている。
【００１９】
【課題を解決するための手段】
請求項１記載の発明のインターフォンシステムは、玄関先の訪問者との間で少なくとも音声による応対を行うための屋外インターフォン手段と、前記屋外インターフォン手段と接続され屋内で前記訪問者との間で少なくとも音声による応対を行うための屋内インターフォン手段と、を備えたインターフォンシステムにおいて、公衆回線に接続された親機と、前記屋内では前記親機と無線接続してコードレス電話機として機能するとともに、屋外に持ち出されると公衆基地局と接続して携帯電話機として機能する携帯通信端末と、前記屋外インターフォン手段を前記屋内インターフォン手段と前記親機とに択一的に接続する接続切換手段と、前記携帯通信端末が前記屋内にあるか前記屋外にあるかを判別し、前記携帯通信端末が前記屋内にあると、前記接続切換手段に前記屋外インターフォン手段を前記屋内インターフォン手段に接続させて当該屋内インターフォンを使用した応対を可能とし、前記携帯通信端末が前記屋外に持ち出されると、前記接続切換手段に前記屋外インターフォン手段を前記親機に接続させて、前記親機を介して接続される前記携帯通信端末を使用した応対を可能とする制御手段と、を備えることにより、上記目的を達成している。
【００２０】
上記構成によれば、屋内では公衆回線に接続された親機と無線接続してコードレス電話機として機能するとともに、屋外に持ち出されると公衆基地局と接続して携帯電話機として機能する携帯通信端末が、屋内にあるか屋外にあるかを判別し、携帯通信端末が屋内にあると、玄関先の訪問者と少なくとも音声による応対を行うための屋外インターフォン手段を屋内インターフォン手段に接続して屋内インターフォン手段を使用した応対を可能とし、携帯通信端末が屋外に持ち出されると、屋外インターフォン手段を親機に接続して、親機を介して接続される携帯通信端末を使用した応対を可能としているので、いちいち留守設定等を行うことなく、携帯通信端末を携帯して外出した際に、玄関先の訪問者と携帯通信端末を使用した応対を行うことができ、インターフォンシステムの利用性を向上させることができる。
【００２１】
この場合、例えば、請求項２に記載するように、前記インターフォンシステムは、前記屋外インターフォン手段を通して前記訪問者に通知する所定の音声メッセージを発生するメッセージ発生手段をさらに備え、前記メッセージ発生手段は、前記屋外インターフォン手段が前記親機を介して前記携帯通信端末に接続されると、前記音声メッセージを前記屋外インターフォン手段から出力するものであってもよい。
【００２２】
上記構成によれば、屋外インターフォン手段が親機を介して携帯通信端末に接続されると、所定の音声メッセージを屋外インターフォン手段を通して出力するので、外出先でインターフォン呼出に対して応答することができない場合や重要な訪問者の来訪の予定のない場合等に訪問者に対して所定の音声メッセージを流して、携帯通信端末で応対することなく、音声メッセージで適切に応対することができ、インターフォンシステムの利用性をより一層向上させることができる。
【００２３】
また、例えば、請求項３に記載するように、前記インターフォンシステムは、前記屋外インターフォン手段を通して前記訪問者に通知する複数の音声メッセージを発生するメッセージ発生手段と、前記メッセージ発生手段の発生する複数の音声メッセージの１つを選択して前記屋外インターフォン手段から出力させるメッセージ選択手段と、をさらに備え、前記メッセージ選択手段は、前記屋外インターフォン手段が前記親機を介して前記携帯通信端末に接続されると、前記携帯通信端末からの所定の制御信号に基づいて、前記メッセージ発生手段の発生する複数の音声メッセージの１つを選択して前記屋外インターフォン手段から出力させるものであってもよい。
【００２４】
上記構成によれば、屋外インターフォン手段が親機を介して携帯通信端末に接続されると、携帯通信端末からの所定の制御信号に基づいて、複数の音声メッセージの１つを選択して屋外インターフォン手段を通して出力させるので、悪徳セールスマンや新聞の集金の来訪等の訪問者の種別等に応じて音声メッセージを適宜選択して出力して、訪問者の種別に適した応対を行うことができ、インターフォンシステムの利用性をより一層向上させることができる。
【００２５】
さらに、例えば、請求項４に記載するように、前記インターフォンシステムは、前記屋外インターフォン手段を前記親機を介して前記携帯通信端末に接続した際に前記親機からの来訪に対する呼出であることを示す来訪信号を前記携帯通信端末に出力する来訪信号発生手段を、さらに備え、前記携帯通信端末は、前記来訪信号を受信すると、通常の電話呼出とは異なる呼出形態で呼出を行う呼出形態変更手段を、さらに備えていてもよい。
【００２６】
上記構成によれば、屋外インターフォン手段を親機を介して携帯通信端末に接続した際に親機からの来訪に対する呼出であることを示す来訪信号を携帯通信端末に出力し、携帯通信端末が、来訪信号を受信すると、通常の電話呼出とは異なる呼出形態、例えば、呼出音を変化させたり、バイブレーションを変化させる等の呼出形態で呼出を行うので、来訪による呼出であるか通常の電話による呼出であるかが分かるようにすることができ、当該呼出に応対する際に適切な応対を可能として、インターフォンシステムの利用性をより一層向上させることができる。
【００２７】
また、例えば、請求項５に記載するように、前記インターフォンシステムは、前記屋外インターフォン手段を前記親機を介して前記携帯通信端末に接続した際に前記親機からの来訪に対する呼出である旨の来訪情報信号を前記携帯通信端末に出力する来訪情報信号発生手段を、さらに備え、前記携帯通信端末は、前記来訪情報信号を受信すると、呼出を行う際に来訪呼出である旨の情報を表示する呼出表示手段を、さらに備えていてもよい。
【００２８】
上記構成によれば、屋外インターフォン手段を親機を介して携帯通信端末に接続した際に親機からの来訪に対する呼出である旨の来訪情報信号を携帯通信端末に出力し、携帯通信端末が、来訪情報信号を受信すると、呼出を行う際に来訪呼出である旨の情報を呼出表示手段に表示するので、周囲の雑音等に影響されることなく、来訪による呼出であるか通常の電話による呼出であるかがより一層確実に分かるようにすることができ、当該呼出に応対する際により適切な応対を可能として、インターフォンシステムの利用性をより一層向上させることができる。
【００２９】
さらに、例えば、請求項６に記載するように、前記屋外インターフォン手段は、所定のメッセージを用紙に記録して前記訪問者に提示する記録手段を、さらに備え、前記制御手段は、前記屋外インターフォン手段を前記親機を介して前記携帯通信端末に接続し、前記携帯通信端末からメッセージ情報が送られてくると、前記記録手段に当該メッセージ情報に対応したメッセージを記録出力させるものであってもよい。
【００３０】
上記構成によれば、屋外インターフォン手段を親機を介して携帯通信端末に接続し、携帯通信端末からメッセージ情報が送られてくると、記録手段で当該メッセージ情報に対応したメッセージを記録出力して訪問者に提示するので、訪問者に適切にメッセージを伝達することができ、より一層適切な応対を可能として、インターフォンシステムの利用性をより一層向上させることができる。
【００３１】
また、例えば、請求項７に記載するように、前記屋外インターフォン手段は、荷物を受け取って収納する荷物受取ボックスと、前記訪問者が挿入する用紙の画像を読み取る読取手段と、前記読取手段に挿入された前記用紙に所定の捺印またはサイン等を行う捺印手段と、前記読取手段に挿入された前記用紙を読み取った後、前記訪問者にそのまま返却する搬送経路と前記捺印手段に搬送した後前記訪問者に返却する搬送経路とを切り換える搬送経路切換手段と、をさらに備え、前記制御手段は、前記屋外インターフォン手段を前記親機を介して前記携帯通信端末に接続した際、前記荷物受取ボックスに前記荷物が投入されて、前記読取手段に前記用紙が挿入され、前記携帯通信端末から捺印を指示する捺印信号が入力されると、前記搬送経路切換手段により前記搬送経路を前記捺印手段に切り換えさせて、前記読取手段の読み取った前記用紙の画像情報に基づいて前記捺印手段で前記用紙の所定位置に捺印処理を行わせた後、当該用紙を排出させるものであってもよい。
【００３２】
上記構成によれば、屋外インターフォン手段を親機を介して携帯通信端末に接続した際、荷物受取ボックスに荷物が投入されて、読取手段に用紙が挿入され、携帯通信端末から捺印を指示する捺印信号が入力されると、搬送経路切換手段により読取手段の読み取った用紙を捺印手段に搬送して、読取手段の読み取った用紙の画像情報に基づいて捺印手段で用紙の所定位置に捺印処理を行った後、当該用紙を排出するので、宅配便等で伝票等の用紙に捺印やサイン等を必要とする場合にも、適切に捺印を行うことができ、より一層適切な応対を行うことができるとともに、通常のファクシミリ装置に捺印手段と搬送路切換手段を設けるだけで捺印処理を行って用紙を訪問者に排出することができ、インターフォンシステムを安価で、かつ、より一層利用性の良好なものとすることができる。
【００３３】
さらに、例えば、請求項８に記載するように、前記屋外インターフォン手段は、前記訪問者が挿入する用紙の画像を読み取る読取手段を、さらに備え、前記インターフォンシステムは、前記読取手段の読み取った前記用紙の画像を前記親機を介して前記携帯通信端末にファクシミリ送信するファクシミリ送信手段を、さらに備え、前記制御手段は、前記屋外インターフォン手段を前記親機を介して前記携帯通信端末に接続した際、前記読取手段に前記用紙が挿入されると、当該用紙を前記読取手段に読み取らせて、当該読み取られ画像を前記ファクシミリ送信手段に予め指定されたファクシミリ装置へ送信させるものであってもよい。
【００３４】
上記構成によれば、屋外インターフォン手段を親機を介して携帯通信端末に接続した際、読取手段に挿入された用紙を読み取って、当該読み取った画像を予め指定されたファクシミリ装置へ送信するので、宅配便の伝票等の訪問者の提示した用紙をファクシミリ送信されてきた画像で確認して、訪問者の用件を適切かつ確実に把握することができ、より一層適切な応対を可能として、インターフォンシステムの利用性をより一層向上させることができる。
【００３５】
また、例えば、請求項９に記載するように、前記インターフォンシステムは、前記親機を介して公衆回線からファクシミリ受信を行うファクシミリ通信手段をさらに備え、前記屋外インターフォン手段は、前記ファクシミリ受信手段の受信したファクシミリ画像を用紙に記録して前記訪問者に提示する記録手段をさらに備え、前記制御手段は、前記屋外インターフォン手段を前記親機を介して前記携帯通信端末に接続した際、前記ファクシミリ受信手段が所定のファクシミリ装置からファクシミリ画像を受信すると、当該ファクシミリ画像を前記記録手段に記録出力させ、あるいは、前記携帯通信端末からのファクシミリ受信を指定するファクシミリ受信信号に応じて前記ファクシミリ通信手段に予め指定されたファクシミリ装置へのポーリング受信を行わせて、当該ポーリング受信で受信したファクシミリ画像を前記記録手段に記録出力させるものであってもよい。
【００３６】
上記構成によれば、屋外インターフォン手段を親機を介して携帯通信端末に接続した際、所定のファクシミリ装置からファクシミリ画像を受信すると、当該ファクシミリ画像を記録手段で記録出力し、あるいは、携帯通信端末からのファクシミリ受信を指定するファクシミリ受信信号に応じて予め指定されたファクシミリ装置へのポーリング受信を行って、当該ポーリング受信で受信したファクシミリ画像を記録手段で記録出力するので、訪問者に応じたメッセージを文書あるいは画像として提示することができ、より一層適切な応対を可能として、インターフォンシステムの利用性をより一層向上させることができる。
【００３７】
さらに、例えば、請求項１０に記載するように、前記屋外インターフォン手段は、前記玄関先の訪問者の映像を撮影する撮影手段をさらに備え、前記携帯通信端末は、所定の表示手段をさらに備え、前記制御手段は、前記屋外インターフォン手段を前記親機を介して前記携帯通信端末に接続した際、前記撮影手段の撮影した映像を前記親機を介して前記携帯通信端末に送信し、前記携帯通信端末は、前記送信されてきた映像を前記表示手段に表示出力するものであってもよい。
【００３８】
上記構成によれば、屋外インターフォン手段を親機を介して携帯通信端末に接続した際、撮影手段で玄関先の訪問者の映像を撮影して、当該撮影した映像を親機を介して携帯通信端末に送信し、携帯通信端末で送信されてきた映像を表示手段に表示出力するので、遠隔地で訪問者が誰であるかを映像により携帯通信端末で確認することができ、より一層適切な応対を可能として、インターフォンシステムの利用性をより一層向上させることができる。
【００３９】
また、例えば、請求項１１に記載するように、前記屋外インターフォン手段は、前記玄関先の訪問者の映像を撮影する撮影手段をさらに備え、前記インターフォンシステムは、前記撮影手段の撮影した映像をファクシミリ画像としてファクシミリ送信するファクシミリ送信手段を、さらに備え、前記制御手段は、前記屋外インターフォン手段を前記親機を介して前記携帯通信端末に接続した際、前記撮影手段の撮影した映像を前記ファクシミリ送信手段に予め指定されたファクシミリ装置にファクシミリ送信させるものであってもよい。
【００４０】
上記構成によれば、屋外インターフォン手段を親機を介して携帯通信端末に接続した際、撮影手段で玄関先の訪問者の映像を撮影して、当該撮影した映像を予め指定されたファクシミリ装置にファクシミリ送信するので、遠隔地で訪問者が誰であるかをより鮮明で大きな映像により確認することができ、より一層適切な応対を可能として、インターフォンシステムの利用性をより一層向上させることができる。
【００４１】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００４２】
図１及び図２は、本発明のインターフォンシステムの第１の実施の形態を示す図であり、本実施の形態は、携帯通信端末が屋外と屋内のいずれにあるかを自動判別して、屋外インターフォンを屋内インターフォンと携帯通信端末とに自動的に切り換えて接続を行うもので、請求項１に対応するものである。
【００４３】
図１は、本発明のインターフォンシステムのシステム全体構成図である。図１において、インターフォンシステム１は、屋内機構部（屋内インターフォン手段）１００、玄関先機構部（屋外インターフォン手段）２００及び通信機構部３００により構成されている。
【００４４】
屋内機構部１００は、会社、事務所、住宅等の建物の屋内（図１に（Ａ）屋内と記載されている部分）に配設され、玄関先機構部２００は、上記建物の訪問者を受け付ける玄関先（図１に（Ｂ）玄関先と記載されている部分）に配設される。
【００４５】
屋内機構部１００は、屋内インターフォンマイク１０１、屋内インターフォンスピーカ１０２、接続先切換部１０３、制御部１０４、固定メッセージ選択部１０５、固定メッセージ発生部１０６、来客モード信号発生部１０７、ディスプレイ表示部１０８、送信先ＦＡＸ指定部１０９等を備えており、玄関先機構部２００は、屋外インターフォンマイク２０１、屋外インターフォンスピーカ２０２、ＣＣＤ（Charge Coupled Device ）カメラ２０３、読取部２０４、ペーパーパス切換部２０５、捺印部２０６、印字メッセージ記憶部２０７、印字部２０８、送信画像メモリ２０９及び荷物受取ボックス（荷物受取ＢＯＸ）２１０等を備えている。また、通信機構部３００は、本実施の形態では、通信装置としてＰＨＳ（Personal Handy Phone System ）を使用しており、ＰＨＳ親機３０１、子機位置判別・モード切換部３０２及び携帯通信端末としてのＰＨＳ子機３０３等を備えている。
【００４６】
屋内機構部１００の屋内インターフォンマイク１０１及び屋内インターフォンスピーカ１０２は、接続先切換部１０３に接続されており、この接続先切換部１０３には、屋外インターフォンマイク２０１、屋外インターフォンスピーカ２０２及びＰＨＳ親機３０１が接続されている。
【００４７】
屋内インターフォンマイク１０１は、屋内インターフォンマイク１０１に向かって話された音声を集音して、電気信号として接続先切換部１０３に出力し、屋内インターフォンスピーカ１０２は、接続先切換部１０３から入力される電気信号を音声に変換して、拡声出力する。なお、以下の説明においては、必要に応じて、屋内インターフォンマイク１０１と屋内インターフォンスピーカ１０２を総称して屋内インターフォンと称する。
【００４８】
屋外インターフォンマイク２０１は、屋外インターフォンマイク２０１に向かって話された音声を集音して、電気信号として接続先切換部１０３に出力し、屋外インターフォンスピーカ２０２は、接続先切換部１０３から入力される電気信号を音声に変換して、拡声出力する。なお、以下の説明においては、必要に応じて、屋外インターフォンマイク２０１と屋外インターフォンスピーカ２０２を総称して屋外インターフォンと称する。
【００４９】
接続先切換部（接続切換手段）１０３は、制御部１０４の制御下で、屋外インターフォンマイク２０１及び屋外インターフォンスピーカ２０２を、屋内インターフォンマイク１０１及び屋内インターフォンスピーカ１０２と、ＰＨＳ親機３０１と、に選択的に切り換えて接続し、屋外インターフォンマイク２０１からの音声電気信号を屋内インターフォンスピーカ１０２またはＰＨＳ親機３０１に出力し、また、屋内インターフォンマイク１０１あるいはＰＨＳ親機３０１からの音声電気信号を屋外インターフォンスピーカ２０２に出力する。
【００５０】
固定メッセージ発生部（メッセージ発生手段）１０６は、玄関先の来客（訪問者）に対して発生する１種類あるいは複数種類の音声メッセージをＲＡＭ（Random Access Memory）、磁気メモリ等に記憶して、制御部１０４の制御下で当該音声メッセージを発生する。
【００５１】
固定メッセージ選択部（メッセージ選択手段）１０５は、固定メッセージ発生部１０６が複数の音声メッセージを記憶して複数の音声メッセージを発生する機能を有している際に、制御部１０４の制御下で動作して、当該固定メッセージ発生部１０６の発生する音声メッセージを選択指定する。
【００５２】
来客モード信号発生部（来訪信号発生手段）１０７は、制御部１０４の制御下で動作して、玄関先機構部２００の図示しないインターフォンボタンが押下された際に、ＰＨＳ親機３０１を介して屋外にあるＰＨＳ子機３０３にインターフォン呼出であることを示す来客モード信号（来訪信号）、例えば、ＰＨＳ親機３０１からＰＨＳ子機３０３を呼び出す際のコーリング信号に付加した所定の信号等を送出する。
【００５３】
ディスプレイ表示部（来訪情報信号発生手段）１０８は、制御部１０４の制御下で動作し、玄関先機構部２００の図示しないインターフォンボタンが押下された際に、ＰＨＳ親機３０１を介してＰＨＳ子機３０３に来訪に対する呼出である旨の所定の来訪情報信号を送信して、ＰＨＳ子機３０３のディスプレイにインターフォン呼出である旨の情報を表示させる。
【００５４】
送信先ＦＡＸ指定部１０９は、ＣＣＤカメラ２０３の撮影した映像や読取部２０４の読み取った読取画像をファクシミリ画像として送信する送信先のファクシミリ（ＦＡＸ）を指定するもので、ユーザにより当該ユーザの外出先等に合わせて、図１に指定ＦＡＸ４０１として示すように、適宜送信先のファクシミリ装置が入力指定され、制御部１０４は、この送信先ＦＡＸ指定部１０９で指定されたファクシミリ装置である指定ＦＡＸ４０１にＰＨＳ親機３０１を介して上記ファクシミリ画像を送信させる。
【００５５】
なお、図示しないが、屋内機構部１００は、液晶ディスプレイあるいはＣＲＴ（陰極線管：Cathode Ray Tube）等の表示部を備え、玄関先機構部２００のＣＣＤカメラ２０３の撮影した玄関先の訪問者の映像を表示出力する。
【００５６】
玄関先機構部２００のＣＣＤカメラ（撮影手段）２０３は、玄関先に来訪した訪問者の映像を撮影し、このＣＣＤカメラ２０３の撮影した映像データは、屋内機構部１００の図示しない表示部に出力されて、当該表示部に表示される。また、ＣＣＤカメラ２０３の撮影した映像データは、必要に応じて送信画像メモリ２０９に記憶され、ＰＨＳ親機３０１を介してＰＨＳ子機３０３に送信される。なお、玄関先の訪問者を撮影するのに、ＣＣＤカメラ２０３を用いているが、ビデオカメラであってもよく、要は、訪問者の映像を適切に撮影して表示部に表示したり、外出先のＰＨＳ子機３０３や指定ＦＡＸ４０１に送信できるものであればよい。
【００５７】
読取部（読取手段）２０４は、例えば、ＣＣＤ（Charge Coupled Device ）を利用したイメージスキャナ等が利用されており、訪問者が書類投入口（図示略）に挿入した原稿や伝票等の書類の画像を読み取る。読取部２０４の読み取った書類の画像は、必要に応じて送信画像メモリ２０９に記憶され、ＰＨＳ親機３０１を介してＰＨＳ子機３０３や指定ＦＡＸ４０１に送信される。
【００５８】
ペーパーパス切換部（搬送経路切換手段）２０５は、書類投入口から投入されて読取部２０４で読み取られた書類を、そのまま図示しない書類排出口あるいは再び書類投入口に排出する搬送経路と、捺印部２０６を介して書類排出口あるいは再び書類投入口に排出する搬送経路と、に切り換えるもので、制御部１０４の制御下で上記搬送経路の切り換えを行う。
【００５９】
捺印部（捺印手段）２０６は、制御部１０４の制御下で動作して、ペーパーパス切換部２０５を介して送られてきた書類、例えば、宅配便の伝票等のように捺印を必要とする書類に捺印処理を行って、書類排出口あるいは再び書類投入口に排出する。
【００６０】
印字メッセージ記憶部２０７は、訪問者に対するメッセージであって、印字部２０８で印字させるメッセージを複数種類記憶するもので、制御部１０４により読み取られて印字部２０８に出力される。
【００６１】
印字部２０８は、例えば、サーマル素子を利用したサーマル記録装置、インク噴射式記録装置、あるいは、電子写真式記録装置等が使用されており、制御部１０４の制御下で動作して、印字メッセージ記憶部２０７から転送されてきたメッセージを記録紙に記録出力して、上記書類投入口、書類排出口、あるいは、専用のメッセージ排出口から排出する。
【００６２】
送信画像メモリ２０９は、制御部１０４の制御下で、ＣＣＤカメラ２０３の撮影した映像データや読取部２０４の読み取った原稿の画像をＰＨＳ子機３０３に送信するための送信画像として記憶し、制御部１０４は、この送信画像メモリ２０９内の送信画像を外出先のＰＨＳ子機３０３に送信し、また、指定ＦＡＸ４０１にファクシミリ送信する。
【００６３】
荷物受取ボックス２１０は、宅配便等の荷物を受け取るためのボックスであり、自動ロックあるいはリモートロックにより投入された荷物の盗難を防止できるようになっている。また、荷物受取ボックス２１０は、荷物が投入されたことを検知する荷物センサを備えていてもよく、この荷物センサが荷物が投入されたことを検知した後、捺印部２０６で伝票に捺印させるようにしてもよい。
【００６４】
通信機構部３００のＰＨＳ親機（親機）３０１は、通常のＰＨＳの親機として機能するとともに、上述するように接続先切換部１０３に接続されて、屋外にあるＰＨＳ子機３０３にインターフォンのマイク及びスピーカとしての機能を持たせ、子機位置判別・モード切換部３０２を介して一般公衆回線に接続されている。
【００６５】
子機位置判別・モード切換部３０２は、ＰＨＳ子機３０３が、図１にＰＨＳ子機（屋内）として示すように、屋内にあるか、図１にＰＨＳ子機（屋外）として示すように、屋外にあるかを判別して、ＰＨＳ親機３０１をＰＨＳ子機３０３の親機として動作させるか、接続先切換部１０３を介して接続される屋外インターフォンマイク２０１及び屋外インターフォンスピーカ２０２とＰＨＳ子機３０３とをＰＨＳ親機３０１及び公衆回線を介して接続して、ＰＨＳ子機３０３をインターフォンマイク及びインターフォンスピーカとして機能させるかを切り換える。
【００６６】
子機位置判別・モード切換部３０２及び親機３０１は、ファクシミリ通信機能を有しており、制御部１０４の制御下で、ＣＣＤカメラ２０３の撮影した映像や読取部２０４の読み取った画像を、ＰＨＳ子機３０３や指定ＦＡＸ４０１にファクシミリ送信し、また、指定ＦＡＸ４０１からの送信画像をファクシミリ受信する。このファクシミリ通信機能は、後述するように、ポーリング機能を有していてもよい。
【００６７】
ＰＨＳ子機（携帯通信端末）３０３は、通常のＰＨＳの子機であるが、図１にＰＨＳ子機（屋外）として示すように、ＦＡＸディスプレイ３０３ａを備えていてもよい。このＦＡＸディスプレイ（表示手段）３０３ａは、ファクシミリ画像として送信されてきた画像を表示する機能を有したもので、ディスプレイ自体は、通常のＰＨＳ子機が有しているディスプレイであってもよく、ファクシミリ送信されてきた画像をディスプレイ表示できるものであればどのようなものであってもよい。ＰＨＳ子機３０３は、図示しないが通常のディスプレイを備えており、このディスプレイは、ディスプレイ表示部１０８からの呼出情報信号に応じたインターフォン呼出である旨の表示情報を表示する呼出表示手段として機能する。
【００６８】
ＰＨＳ子機３０３は、屋外に持ち出されると、ＰＨＳの公衆基地局との間で無線電波の授受を行って、通常のＰＨＳとして機能する。
【００６９】
制御部１０４は、ＣＰＵ（Central Processing Unit ）、ＲＡＭ（Random Access Memory）及びＲＯＭ（Read Only Memory）等を備え、ＲＯＭ内には、インターフォンシステム１としての制御プログラムが格納されている。制御部１０４は、そのＣＰＵが、ＲＡＭをワークメモリとして利用しつつ、ＲＯＭ内の制御プログラムに基づいてインターフォンシステム１の各部を制御して、インターフォンシステム１としての処理を行う。この制御部１０４と子機位置判別・モード切換部３０２は、全体として制御手段として機能している。
【００７０】
次に、第１の実施の形態の作用を説明する。本実施の形態のインターフォンシステム１は、ＰＨＳ子機３０３が屋内にあるか、屋外にあるかを判別して、屋外インターフォンマイク２０１及び屋外インターフォンスピーカ２０２を屋内インターフォンマイク１０１及び屋内インターフォンスピーカ１０２と、ＰＨＳ親機３０１と、に切り換えて接続して、屋内インターフォンマイク１０１及び屋内インターフォンスピーカ１０２を使用した応対と、ＰＨＳ子機３０３を使用した応対と、に自動的に切り換えるところにその特徴がある。
【００７１】
すなわち、本実施の形態のインターフォンシステム１は、図１に示したシステム構成図のうち、図２に示す構成部分のみでその基本的な処理を行うことができ、子機位置判別・モード切換部３０２がＰＨＳ子機３０３が屋内にあるか、図２に遠隔地（Ｃ）の位置に示すように、屋内から持ち出されて屋外にあるかを自動判別する。
【００７２】
子機位置判別・モード切換部３０２は、ＰＨＳ子機３０３が屋内にあることを検出すると、ＰＨＳ親機３０１にＰＨＳ子機３０３の親機としての機能を持たせるようにモード切換処理を行うとともに、制御部１０４にＰＨＳ子機３０３が屋内にある旨を通知する。
【００７３】
したがって、ＰＨＳ子機３０３は、ＰＨＳ親機３０１の子機として機能し、ＰＨＳ親機３０１を介して通常のコードレス電話の子機として機能動作する。
【００７４】
制御部１０４は、ＰＨＳ子機３０３が屋内にあると、接続先切換部１０３を制御して、屋外インターフォンマイク２０１及び屋外インターフォンスピーカ２０２を屋内インターフォンマイク１０１及び屋内インターフォンスピーカ１０２に接続させ、屋外インターフォンマイク２０１及び屋外インターフォンスピーカ２０２と、屋内インターフォンマイク１０１及び屋内インターフォンスピーカ１０２を使用したインターフォン機能として動作させる。
【００７５】
したがって、訪問者があって、図示しないインターフォンボタンが押下されると、制御部１０４は、屋外インターフォンマイク２０１及び屋外インターフォンスピーカ２０２と、屋内インターフォンマイク１０１及び屋内インターフォンスピーカ１０２と、を接続して、屋内インターフォンマイク１０１による応対音声を屋外インターフォンスピーカ２０２から出力させ、その後、屋外インターフォンマイク２０１からの音声を屋内インターフォンスピーカ１０２から出力させて、屋外インターフォンマイク２０１及び屋外インターフォンスピーカ２０２と、屋内インターフォンマイク１０１及び屋内インターフォンスピーカ１０２によるインターフォン応対を可能とする。
【００７６】
また、子機位置判別・モード切換部３０２は、ＰＨＳ子機３０３が図２の（Ｃ）遠隔地のように屋外にあることを検出すると、ＰＨＳ親機３０１にＰＨＳ子機３０３の親機としての機能を停止させ屋外インターフォンマイク２０１と屋外インターフォンスピーカ２０２を回線を介してＰＨＳ子機３０３に接続する中継モードにモード切換処理を行うとともに、制御部１０４にＰＨＳ子機３０３が屋外にある旨を通知する。したがって、ＰＨＳ子機３０３は、通常のＰＨＳとして機能動作する。
【００７７】
制御部１０４は、ＰＨＳ子機３０３が屋外にあると、接続先切換部１０３を制御して、屋外インターフォンマイク２０１及び屋外インターフォンスピーカ２０２をＰＨＳ親機３０１に接続させ、屋外インターフォンマイク２０１及び屋外インターフォンスピーカ２０２とＰＨＳ子機３０３を使用したインターフォン機能として動作させる。
【００７８】
したがって、訪問者があって、図示しないインターフォンボタンが押下されると、制御部１０４は、屋外インターフォンマイク２０１及び屋外インターフォンスピーカ２０２と、ＰＨＳ親機３０１と、を接続し、ＰＨＳ親機３０１は、公衆回線及びＰＨＳ公衆基地局を介してＰＨＳ子機３０３を呼び出して、ＰＨＳ子機３０３による応対音声を屋外インターフォンスピーカ２０２から出力させる。その後、屋外インターフォンマイク２０１からの音声をＰＨＳ親機３０１を介してＰＨＳ子機３０３に送信させてＰＨＳ子機３０３のスピーカから出力させ、屋外インターフォンマイク２０１及び屋外インターフォンスピーカ２０２と、ＰＨＳ子機３０３によるインターフォン応対を可能とする。
【００７９】
このように、本実施の形態によれば、屋内では公衆回線に接続された親機３０１と無線接続してコードレス電話機として機能するとともに、屋外に持ち出されると公衆基地局と接続して携帯電話機として機能するＰＨＳ子機３０３が、屋内にあるか屋外にあるかを判別し、ＰＨＳ子機３０３が屋内にあると、玄関先の訪問者と音声による応対を行うための玄関先機構部２００の屋外インターフォンマイク２０１と屋外インターフォンスピーカ２０２を屋内機構部１００の屋内インターフォンマイク１０１と屋内インターフォンスピーカ１０２に接続して屋内機構部１００を使用したインターフォン応対を可能とし、ＰＨＳ子機３０３が屋外に持ち出されると、玄関先機構部２００の屋外インターフォンマイク２０１と屋外インターフォンスピーカ２０２をＰＨＳ親機３０１に接続して、ＰＨＳ親機３０１を介して接続されるＰＨＳ子機３０３を使用したインターフォン応対を可能としている。
【００８０】
したがって、いちいち留守設定等を行うことなく、ＰＨＳ子機３０３を携帯して外出した際に、玄関先の訪問者とＰＨＳ子機３０３を使用したインターフォン応対を行うことができ、インターフォンシステム１の利用性を向上させることができる。
【００８１】
図３は、本発明のインターフォンシステムの第２の実施の形態を示す図であり、本実施の形態は、屋外インターフォンをＰＨＳ子機に接続した際に、自動的に音声メッセージを屋外インターフォンに出力するもので、請求項２に対応するものである。
【００８２】
なお、本実施の形態は、上記図１と同様のインターフォンシステムに適用したものであり、本実施の形態の説明においては、上記図１で用いた符号をそのまま用いて説明する。
【００８３】
図３は、本発明のインターフォンシステムの第２の実施の形態のインターフォンシステム１の要部のみを示すシステム構成図であり、本実施の形態のインターフォンシステム１は、図３に示すように、屋内機構部１００として、屋内インターフォンマイク１０１、屋内インターフォンスピーカ１０２、接続先切換部１０３、制御部１０４及び固定メッセージ発生部１０６を、玄関先機構部２００として、屋外インターフォンマイク２０１、屋外インターフォンスピーカ２０２を、通信機能部３００として、ＰＨＳ親機３０１、子機位置判別・モード切換部３０２、ＰＨＳ子機３０３を、それぞれ備えている。
【００８４】
固定メッセージ発生部１０６は、上述のように、玄関先の訪問者に対して発生する１種類あるいは複数種類の音声メッセージをＲＡＭ、磁気メモリ等に記憶して、制御部１０４の制御下で当該音声メッセージを発生する。
【００８５】
次に、本実施の形態の作用を説明する。本実施の形態のインターフォンシステム１は、ＰＨＳ子機３０３が屋内にあるか、屋外にあるかを自動判別してＰＨＳ子機３０３をＰＨＳ親機３０１の子機としての機能を持たせるか、ＰＨＳとしての機能の他にインターフォン機能としての機能を持たせるかを制御するとともに、ＰＨＳ子機３０３が屋外にあるときに、屋外インターフォンをＰＨＳ子機３０３に接続した際に、固定の音声メッセージを屋外インターフォンに出力するところにその特徴がある。
【００８６】
すなわち、インターフォンシステム１は、上記第１の実施の形態と同様に、子機位置判別・モード切換部３０２がＰＨＳ子機３０３が屋内にあるか、図３に遠隔地（Ｃ）の位置に示すように、屋内から持ち出されて屋外にあるかを自動判別する。
【００８７】
子機位置判別・モード切換部３０２は、ＰＨＳ子機３０３が屋内にあることを検出すると、ＰＨＳ親機３０１にＰＨＳ子機３０３の親機としての機能を持たせるようにモード切換処理を行うとともに、制御部１０４にＰＨＳ子機３０３が屋内にある旨を通知する。したがって、ＰＨＳ子機３０３は、ＰＨＳ親機３０１の子機として機能し、ＰＨＳ親機３０１を介して通常のコードレス電話の子機として機能動作する。
【００８８】
制御部１０４は、ＰＨＳ子機３０３が屋内にあると、接続先切換部１０３を制御して、屋外インターフォンマイク２０１及び屋外インターフォンスピーカ２０２を屋内インターフォンマイク１０１及び屋内インターフォンスピーカ１０２に接続させ、屋外インターフォンマイク２０１及び屋外インターフォンスピーカ２０２と、屋内インターフォンマイク１０１及び屋内インターフォンスピーカ１０２を使用したインターフォン機能として動作させる。
【００８９】
また、子機位置判別・モード切換部３０２は、ＰＨＳ子機３０３が図３の（Ｃ）遠隔地のように屋外にあることを検出すると、ＰＨＳ親機３０１にＰＨＳ子機３０３の親機としての機能を停止させ屋外インターフォンマイク２０１と屋外インターフォンスピーカ２０２を回線を介してＰＨＳ子機３０３に接続する中継モードにモード切換処理を行うとともに、制御部１０４にＰＨＳ子機３０３が屋外にある旨を通知する。したがって、ＰＨＳ子機３０３は、通常のＰＨＳとして機能動作する。
【００９０】
制御部１０４は、ＰＨＳ子機３０３が屋外にあると、接続先切換部１０３を制御して、屋外インターフォンマイク２０１及び屋外インターフォンスピーカ２０２をＰＨＳ親機３０１に接続させ、屋外インターフォンマイク２０１及び屋外インターフォンスピーカ２０２とＰＨＳ子機３０３を使用したインターフォン機能として動作させるとともに、インターフォンボタンが押下されると、固定メッセージ発生部１０６を制御して、固定の音声メッセージを屋外インターフォンスピーカ２０２から出力させる。
【００９１】
したがって、来客があって、図示しないインターフォンボタンが押下されると、制御部１０４は、屋外インターフォンマイク２０１及び屋外インターフォンスピーカ２０２と、ＰＨＳ親機３０１と、を接続して、ＰＨＳ親機３０１は、公衆回線及びＰＨＳ公衆基地局を介してＰＨＳ子機３０３を呼び出し、ＰＨＳ子機３０３による応対音声を屋外インターフォンスピーカ２０２から出力させるとともに、固定メッセージ発生部１０６を動作させて、固定メッセージを屋外インターフォンスピーカ２０２から出力させる。その後、固定メッセージに応じて、屋外インターフォンマイク２０１に向かって発生された音声を屋外インターフォンマイク２０１で集音して、ＰＨＳ親機３０１を介してＰＨＳ子機３０３に送信させてＰＨＳ子機３０３のスピーカから出力させ、屋外インターフォンマイク２０１及び屋外インターフォンスピーカ２０２と、ＰＨＳ子機３０３によるインターフォン応対を可能とする。
【００９２】
そして、ＰＨＳ子機３０３を携帯しているユーザは、固定の音声メッセージに応じて話されてＰＨＳ子機３０３から出力される訪問者の音声に応じて、ＰＨＳ子機３０３を使用したインターフォン応対を行うか否かの選択を行うことができる。
【００９３】
このように、本実施の形態によれば、玄関先機構部２００の屋外インターフォンマイク２０１と屋外インターフォンスピーカ２０２をＰＨＳ親機３０１を介してＰＨＳ子機３０３に接続すると、所定の音声メッセージを玄関先機構部２００を通して出力している。
【００９４】
したがって、外出先でインターフォン呼出に対して応答することができない場合や重要な訪問者の来訪の予定のない場合等に訪問者に対して所定の音声メッセージを流して、ＰＨＳ子機３０３で応対することなく、音声メッセージで適切に応対することができ、インターフォンシステム１の利用性をより一層向上させることができる。
【００９５】
なお、本実施の形態では、固定メッセージ発生部１０６が屋内機構部１００の一部として設定されているが、固定メッセージ発生部１０６は、玄関先機構部２００の一部として配設されていてもよく、また、ＰＨＳ子機３０３の機能の一部として配設されていてもよい。固定メッセージ発生部１０６がＰＨＳ子機３０３の機能の一部として配設されている場合には、屋外インターフォンマイク２０１及び屋外インターフォンスピーカ２０２がＰＨＳ子機３０３に接続された際に、ＰＨＳ子機３０３の固定メッセージ発生部１０６から固定メッセージを送信して、屋外インターフォンスピーカ２０２から送出するようにする。
【００９６】
図４は、本発明のインターフォンシステムの第３の実施の形態を示す図であり、本実施の形態は、屋外インターフォンをＰＨＳ子機に接続した際に、複数の音声メッセージから適宜訪問者の種別に応じた音声メッセージを選択して屋外インターフォンに出力するもので、請求項３に対応するものである。
【００９７】
なお、本実施の形態は、上記図１と同様のインターフォンシステムに適用したものであり、本実施の形態の説明においては、上記図１で用いた符号をそのまま用いて説明する。
【００９８】
図４は、本発明のインターフォンシステムの第３の実施の形態のインターフォンシステム１の要部システム構成図であり、本実施の形態のインターフォンシステム１は、図４に示すように、屋内機構部１００として、屋内インターフォンマイク１０１、屋内インターフォンスピーカ１０２、接続先切換部１０３、制御部１０４、固定メッセージ選択部５及び固定メッセージ発生部１０６を、玄関先機構部２００として、屋外インターフォンマイク２０１、屋外インターフォンスピーカ２０２を、通信機能部３００として、ＰＨＳ親機３０１、子機位置判別・モード切換部３０２、ＰＨＳ子機３０３を、それぞれ備えている。
【００９９】
固定メッセージ発生部１０６は、上述のように、玄関先の訪問者に対して出力する複数種類の音声メッセージをＲＡＭ、磁気メモリ等に記憶して、制御部１０４の制御下で当該音声メッセージを発生する。
【０１００】
固定メッセージ選択部１０５は、制御部１０４の制御下で動作して、固定メッセージ発生部１０６の発生する複数種類の音声メッセージのうち、制御部１０４により選択された音声メッセージを固定メッセージ発生部１０６に発生させて、屋外インターフォンスピーカ２０２から出力させる。
【０１０１】
次に、本実施の形態の作用を説明する。本実施の形態のインターフォンシステム１は、ＰＨＳ子機３０３が屋内にあるか、屋外にあるかを自動判別してＰＨＳ子機３０３をＰＨＳ親機３０１の子機としての機能を持たせるか、ＰＨＳとしての機能の他にインターフォン機能としての機能を持たせるかを制御するとともに、ＰＨＳ子機３０３が屋外にあるときに、屋外インターフォンをＰＨＳ子機３０３に接続した際に、訪問者の種別に応じた音声メッセージを屋外インターフォンに出力するところにその特徴がある。
【０１０２】
すなわち、インターフォンシステム１は、子機位置判別・モード切換部３０２がＰＨＳ子機３０３が屋内にあるか、図４に遠隔地（Ｃ）の位置に示すように、屋内から持ち出されて屋外にあるかを自動判別する。
【０１０３】
子機位置判別・モード切換部３０２は、ＰＨＳ子機３０３が屋内にあることを検出すると、ＰＨＳ親機３０１にＰＨＳ子機３０３の親機としての機能を持たせるようにモード切換処理を行うとともに、制御部１０４にＰＨＳ子機３０３が屋内にある旨を通知する。したがって、ＰＨＳ子機３０３は、ＰＨＳ親機３０１の子機として機能し、ＰＨＳ親機３０１を介して通常のコードレス電話の子機として機能動作する。
【０１０４】
制御部１０４は、ＰＨＳ子機３０３が屋内にあると、接続先切換部１０３を制御して、屋外インターフォンマイク２０１及び屋外インターフォンスピーカ２０２を屋内インターフォンマイク１０１及び屋内インターフォンスピーカ１０２に接続させ、屋外インターフォンマイク２０１及び屋外インターフォンスピーカ２０２と、屋内インターフォンマイク１０１及び屋内インターフォンスピーカ１０２を使用したインターフォン機能として動作させる。
【０１０５】
また、子機位置判別・モード切換部３０２は、ＰＨＳ子機３０３が図４の遠隔地のように屋外にあることを検出すると、ＰＨＳ親機３０１にＰＨＳ子機３０３の親機としての機能を停止させ屋外インターフォンマイク２０１と屋外インターフォンスピーカ２０２を回線を介してＰＨＳ子機３０３に接続する中継モードにモード切換処理を行うとともに、制御部１０４にＰＨＳ子機３０３が屋外にある旨を通知する。したがって、ＰＨＳ子機３０３は、通常のＰＨＳとして機能動作する。
【０１０６】
制御部１０４は、ＰＨＳ子機３０３が屋外にあると、接続先切換部１０３を制御して、屋外インターフォンマイク２０１及び屋外インターフォンスピーカ２０２をＰＨＳ親機３０１に接続させ、屋外インターフォンマイク２０１及び屋外インターフォンスピーカ２０２とＰＨＳ子機３０３を使用したインターフォン機能として動作させるとともに、例えば、屋外インターフォンマイク２０１からの音声をモニターして、屋外インターフォンマイク２０１から音声が入力されるか否かにより、あるいは、当該入力された音声の種別を判別して、訪問者の種別を判別し、固定メッセージ選択部１０５に固定メッセージ発生部１０６の有している音声メッセージのうち、訪問者の種別に応じた音声メッセージを選択させて固定メッセージ発生部１０６に発生させ、当該音声メッセージを屋外インターフォンスピーカ２０２から出力させる。また、制御部１０４は、ＰＨＳ子機３０３から固定メッセージ発生部１０６の有している音声メッセージの一つを指定する所定の制御信号、例えば、ＤＴＭＦ（Dual Tone Multifrequency）が送られてくると、当該制御信号で指定された音声メッセージを固定メッセージ選択部１０５に選択させて、屋外インターフォンスピーカ２０２から出力させる。
【０１０７】
したがって、来客があって、図示しないインターフォンボタンが押下されると、制御部１０４は、屋外インターフォンマイク２０１及び屋外インターフォンスピーカ２０２と、ＰＨＳ親機３０１と、を接続して、ＰＨＳ親機３０１は、公衆回線及びＰＨＳ公衆基地局を介してＰＨＳ子機３０３を呼び出し、ＰＨＳ子機３０３から訪問者の音声を出力させるとともに、訪問者の種別に応じた音声メッセージを固定メッセージ選択部１０５を介して固定メッセージ発生部１０６に発生させて、当該音声メッセージを屋外インターフォンスピーカ２０２から出力させる。その後、この音声メッセージに応じて、屋外インターフォンマイク２０１に向かって発生された音声を屋外インターフォンマイク２０１で集音して、ＰＨＳ親機３０１を介してＰＨＳ子機３０３に送信させてＰＨＳ子機３０３のスピーカから出力させる。
【０１０８】
このように、本実施の形態によれば、玄関先機構部２００の屋外インターフォンマイク２０１と屋外インターフォンスピーカ２０２がＰＨＳ親機３０１を介してＰＨＳ子機３０３に接続されると、ＰＨＳ子機３０３からの所定の制御信号に基づいて、固定メッセージ発生発生部１０６の発生する複数の音声メッセージの１つを固定メッセージ選択部１０５で選択して屋外インターフォンスピーカ２０２を通して出力させる。
【０１０９】
したがって、悪徳セールスマンや新聞の集金の来訪等の訪問者の種別等に応じて音声メッセージを適宜選択して出力して、訪問者の種別に適した応対を行うことができ、インターフォンシステム１の利用性をより一層向上させることができる。
【０１１０】
なお、本実施の形態では、固定メッセージ選択部１０５及び固定メッセージ発生部１０６が屋内機構部１００の一部として設定されているが、固定メッセージ選択部１０５及び固定メッセージ発生部１０６は、玄関先機構部２００の一部として配設されていてもよく、また、ＰＨＳ子機３０３の機能の一部として配設されていてもよい。固定メッセージ選択部１０５及び固定メッセージ発生部１０６がＰＨＳ子機３０３の機能の一部として配設されている場合には、屋外インターフォンマイク２０１及び屋外インターフォンスピーカ２０２がＰＨＳ子機３０３に接続された際に、ＰＨＳ子機３０３の操作に応じて、固定メッセージ選択部１０５で固定メッセージ発生部１０６の有している複数の音声メッセージの１つを選択して、固定メッセージ発生部１０６から当該選択された音声メッセージ送信して、屋外インターフォンスピーカ２０２から送出するようにする。
【０１１１】
図５は、本発明のインターフォンシステムの第４の実施の形態を示す図であり、本実施の形態は、屋外インターフォンをＰＨＳ子機に接続した際に、インターフォン呼出であるか、通常の電話呼出であるかが分かるようにしたもので、請求項４に対応するものである。
【０１１２】
なお、本実施の形態は、上記図１と同様のインターフォンシステムに適用したものであり、本実施の形態の説明においては、上記図１で用いた符号をそのまま用いて説明する。
【０１１３】
図５は、本発明のインターフォンシステムの第４の実施の形態のインターフォンシステム１のシステム構成図であり、本実施の形態のインターフォンシステム１は、図５に示すように、屋内機構部１００として、屋内インターフォンマイク１０１、屋内インターフォンスピーカ１０２、接続先切換部１０３、制御部１０４、固定メッセージ選択部５、固定メッセージ発生部１０６及び来客モード信号発生部１０７を、玄関先機構部２００として、屋外インターフォンマイク２０１、屋外インターフォンスピーカ２０２を、通信機能部３００として、ＰＨＳ親機３０１、子機位置判別・モード切換部３０２、ＰＨＳ子機３０３を、それぞれ備えている。なお、本実施の形態のインターフォンシステム１においては、固定メッセージ選択部５及び固定メッセージ発生部１０６は、必ずしも必要ではない。
【０１１４】
来客モード信号発生部１０７は、制御部１０４の制御下で動作して、玄関先機構部２００の図示しないインターフォンボタンが押下された際に、ＰＨＳ親機３０１を介して屋外にあるＰＨＳ子機３０３にインターフォン呼出であることを示す来客モード信号（来訪信号）を送出する。
【０１１５】
次に、本実施の形態の作用を説明する。本実施の形態のインターフォンシステム１は、ＰＨＳ子機３０３が屋内にあるか、屋外にあるかを自動判別してＰＨＳ子機３０３をＰＨＳ親機３０１の子機としての機能を持たせるか、ＰＨＳとしての機能の他にインターフォン機能としての機能を持たせるかを制御するとともに、ＰＨＳ子機３０３が屋外にあるときに、屋外インターフォンをＰＨＳ子機３０３に接続した際に、インターフォン呼出であるか、通常の電話呼出であるかをがかるようにするところにその特徴がある。
【０１１６】
すなわち、インターフォンシステム１は、子機位置判別・モード切換部３０２がＰＨＳ子機３０３が屋内にあるか、図５に遠隔地（Ｃ）の位置に示すように、屋内から持ち出されて屋外にあるかを自動判別する。
【０１１７】
子機位置判別・モード切換部３０２は、ＰＨＳ子機３０３が屋内にあることを検出すると、ＰＨＳ親機３０１にＰＨＳ子機３０３の親機としての機能を持たせるようにモード切換処理を行うとともに、制御部１０４にＰＨＳ子機３０３が屋内にある旨を通知する。したがって、ＰＨＳ子機３０３は、ＰＨＳ親機３０１の子機として機能し、ＰＨＳ親機３０１を介して通常のコードレス電話の子機として機能動作する。
【０１１８】
制御部１０４は、ＰＨＳ子機３０３が屋内にあると、接続先切換部１０３を制御して、屋外インターフォンマイク２０１及び屋外インターフォンスピーカ２０２を屋内インターフォンマイク１０１及び屋内インターフォンスピーカ１０２に接続させ、屋外インターフォンマイク２０１及び屋外インターフォンスピーカ２０２と、屋内インターフォンマイク１０１及び屋内インターフォンスピーカ１０２を使用したインターフォン機能として動作させる。
【０１１９】
また、子機位置判別・モード切換部３０２は、ＰＨＳ子機３０３が図５の（Ｃ）遠隔地のように屋外にあることを検出すると、ＰＨＳ親機３０１にＰＨＳ子機３０３の親機としての機能を停止させ屋外インターフォンマイク２０１と屋外インターフォンスピーカ２０２を回線を介してＰＨＳ子機３０３に接続する中継モードにモード切換処理を行うとともに、制御部１０４にＰＨＳ子機３０３が屋外にある旨を通知する。したがって、ＰＨＳ子機３０３は、通常のＰＨＳとして機能動作する。
【０１２０】
制御部１０４は、ＰＨＳ子機３０３が屋外にあると、接続先切換部１０３を制御して、屋外インターフォンマイク２０１及び屋外インターフォンスピーカ２０２をＰＨＳ親機３０１に接続させ、屋外インターフォンマイク２０１及び屋外インターフォンスピーカ２０２とＰＨＳ子機３０３を使用したインターフォン機能として動作させるとともに、来客モード信号発生部１０７を動作させて、来客モード信号をＰＨＳ親機３０１を介してＰＨＳ子機３０３に送出させる。また、制御部１０４は、固定メッセージ選択部１０５に固定メッセージ発生部１０６の有している音声メッセージのうち、訪問者の種別に応じた音声メッセージを選択させて固定メッセージ発生部１０６に発生させ、当該音声メッセージを屋外インターフォンスピーカ２０２から出力させる。
【０１２１】
したがって、来客があって、図示しないインターフォンボタンが押下されると、制御部１０４は、屋外インターフォンマイク２０１及び屋外インターフォンスピーカ２０２と、ＰＨＳ親機３０１と、を接続して、ＰＨＳ親機３０１は、公衆回線及びＰＨＳ公衆基地局を介してＰＨＳ子機３０３を呼び出すとともに、来客モード信号をＰＨＳ子機３０３に送出し、ＰＨＳ子機３０３は、この来客モード信号を受信すると、インターフォン呼出であることを示す処理を行って、通常の電話による呼出ではなく、インターフォン呼出であることがユーザに分かるようにする。このインターフォン呼出であることの処理としては、例えば、着信呼出音を通常の電話による着信呼出音とは異なる呼出音にする方法、バイブレーションの信号数を変化させる方法、あるいは、呼出音とバイブレーションとをインターフォン呼出と電話呼出で切り換える方法等を用いる。
【０１２２】
このインターフォン呼出に応じて、ユーザがＰＨＳ子機３０３のオフフック操作を行うと、ＰＨＳ子機３０３のスピーカから屋外インターフォンマイク２０１から入力された訪問者の音声が出力され、また、この音声に応じてユーザが応答すると、インターフォンシステム１は、このＰＨＳ子機３０３による応対音声を屋外インターフォンスピーカ２０２から出力させる。
【０１２３】
このように、本実施の形態によれば、玄関先機構部２００の屋外インターフォンマイク２０１と屋外インターフォンスピーカ２０２をＰＨＳ親機３０１を介してＰＨＳ子機３０３に接続した際にＰＨＳ親機３０１からの来訪に対する呼出であることを示す来訪信号をＰＨＳ子機３０３に出力し、ＰＨＳ子機３０３が、来訪信号を受信すると、通常の電話呼出とは異なる呼出形態で呼出を行う。
【０１２４】
したがって、来訪によるインターフォン呼出であるか通常の電話呼出であるかが分かるようにすることができ、当該呼出に応対する際に適切な応対を可能として、インターフォンシステム１の利用性をより一層向上させることができる。
【０１２５】
なお、本実施の形態においては、来客モード信号発生部１０７を屋内機構部１００に設けているが、玄関先機構部２００あるいは通信機構部３００のＰＨＳ子機３０３に設けてもよい。ＰＨＳ子機３０３に来客モード信号発生部１０７に設ける場合には、ＰＨＳ親機３０１から呼出であか否かを認識して、ＰＨＳ親機３０１からの呼出であると、上述のようなインターフォン呼出であることを示す処理を行う。
【０１２６】
図６は、本発明のインターフォンシステムの第５の実施の形態を示す図であり、本実施の形態は、屋外インターフォンをＰＨＳ子機に接続した際に、インターフォン呼出である旨の情報をＰＨＳ子機の表示出力して、インターフォン呼出であるか、通常の電話呼出であるかが分かるようにしたもので、請求項５に対応するものである。
【０１２７】
なお、本実施の形態は、上記図１と同様のインターフォンシステムに適用したものであり、本実施の形態の説明においては、上記図１で用いた符号をそのまま用いて説明する。
【０１２８】
図６は、本発明のインターフォンシステムの第５の実施の形態のインターフォンシステム１のシステム構成図であり、本実施の形態のインターフォンシステム１は、図６に示すように、屋内機構部１００として、屋内インターフォンマイク１０１、屋内インターフォンスピーカ１０２、接続先切換部１０３、制御部１０４、固定メッセージ選択部５、固定メッセージ発生部１０６、来客モード信号発生部１０７及びディスプレイ表示部１０８を、玄関先機構部２００として、屋外インターフォンマイク２０１、屋外インターフォンスピーカ２０２を、通信機能部３００として、ＰＨＳ親機３０１、子機位置判別・モード切換部３０２、ＰＨＳ子機３０３を、それぞれ備えている。なお、本実施の形態においては、固定メッセージ選択部１０５、固定メッセージ発生部１０６及び来客モード信号発生部１０７は、必ずしも必要ではない。
【０１２９】
ディスプレイ表示部１０８は、制御部１０４の制御下で動作し、制御部１０４の制御下で動作し、玄関先機構部２００の図示しないインターフォンボタンが押下された際に、ＰＨＳ親機３０１を介してＰＨＳ子機３０３に所定の来訪情報信号を送信して、ＰＨＳ子機３０３のディスプレイ（呼出表示手段）にインターフォン呼出である旨の情報を表示させる。
【０１３０】
次に、本実施の形態の作用を説明する。本実施の形態のインターフォンシステム１は、ＰＨＳ子機３０３が屋内にあるか、屋外にあるかを自動判別してＰＨＳ子機３０３をＰＨＳ親機３０１の子機としての機能を持たせるか、ＰＨＳとしての機能の他にインターフォン機能としての機能を持たせるかを制御するとともに、ＰＨＳ子機３０３が屋外にあるときに、屋外インターフォンをＰＨＳ子機３０３に接続した際に、ＰＨＳ子機３０３のディスプレイにインターフォン呼出である旨の情報を表示させて、呼出がインターフォン呼出であるか、電話呼出であるかがより一層容易に分かるようにするところにその特徴がある。
【０１３１】
すなわち、インターフォンシステム１は、子機位置判別・モード切換部３０２がＰＨＳ子機３０３が屋内にあるか、図６に遠隔地（Ｃ）の位置に示すように、屋内から持ち出されて屋外にあるかを自動判別する。
【０１３２】
子機位置判別・モード切換部３０２は、ＰＨＳ子機３０３が屋内にあることを検出すると、ＰＨＳ親機３０１にＰＨＳ子機３０３の親機としての機能を持たせるようにモード切換処理を行うとともに、制御部１０４にＰＨＳ子機３０３が屋内にある旨を通知する。したがって、ＰＨＳ子機３０３は、ＰＨＳ親機３０１の子機として機能し、ＰＨＳ親機３０１を介して通常のコードレス電話の子機として機能動作する。
【０１３３】
制御部１０４は、ＰＨＳ子機３０３が屋内にあると、接続先切換部１０３を制御して、屋外インターフォンマイク２０１及び屋外インターフォンスピーカ２０２を屋内インターフォンマイク１０１及び屋内インターフォンスピーカ１０２に接続させ、屋外インターフォンマイク２０１及び屋外インターフォンスピーカ２０２と、屋内インターフォンマイク１０１及び屋内インターフォンスピーカ１０２を使用したインターフォン機能として動作させる。
【０１３４】
また、子機位置判別・モード切換部３０２は、ＰＨＳ子機３０３が図６の（Ｃ）遠隔地のように屋外にあることを検出すると、ＰＨＳ親機３０１にＰＨＳ子機３０３の親機としての機能を停止させ屋外インターフォンマイク２０１と屋外インターフォンスピーカ２０２を回線を介してＰＨＳ子機３０３に接続する中継モードにモード切換処理を行うとともに、制御部１０４にＰＨＳ子機３０３が屋外にある旨を通知する。したがって、ＰＨＳ子機３０３は、通常のＰＨＳとして機能動作する。
【０１３５】
制御部１０４は、ＰＨＳ子機３０３が屋外にあると、接続先切換部１０３を制御して、屋外インターフォンマイク２０１及び屋外インターフォンスピーカ２０２をＰＨＳ親機３０１に接続させ、屋外インターフォンマイク２０１及び屋外インターフォンスピーカ２０２とＰＨＳ子機３０３を使用したインターフォン機能として動作させるとともに、来客モード信号発生部１０７を動作させて、来客モード信号をＰＨＳ親機３０１を介してＰＨＳ子機３０３に送出させ、また、ディスプレイ表示部１０８を動作させて、インターフォン呼出である旨の来訪情報信号をＰＨＳ親機３０１を介してＰＨＳ子機３０３に送出させる。また、制御部１０４は、固定メッセージ選択部１０５に固定メッセージ発生部１０６の有している音声メッセージのうち、訪問者の種別に応じた音声メッセージを選択させて固定メッセージ発生部１０６に発生させ、当該音声メッセージを屋外インターフォンスピーカ２０２から出力させる。
【０１３６】
したがって、来客があって、図示しないインターフォンボタンが押下されると、制御部１０４は、屋外インターフォンマイク２０１及び屋外インターフォンスピーカ２０２と、ＰＨＳ親機３０１と、を接続して、ＰＨＳ親機３０１は、公衆回線及びＰＨＳ公衆基地局を介してＰＨＳ子機３０３を呼び出すとともに、来客モード信号をＰＨＳ子機３０３に送出し、また、インターフォン呼出である旨の来訪情報信号をＰＨＳ子機３０３に送出し、ＰＨＳ子機３０３は、この来客モード信号を受信すると、インターフォン呼出であることを示す処理を行って、通常の電話による呼出ではなく、インターフォン呼出であることがユーザに分かるようにするとともに、そのディスプレイに受信したインターフォン呼出である旨の表示情報を表示出力する。
【０１３７】
ユーザは、呼出音とディスプレイの表示情報によりインターフォン呼出であることを容易かつ確実に認識することができ、このインターフォン呼出とに応じて、ユーザがＰＨＳ子機３０３のオフフック操作を行うと、ＰＨＳ子機３０３のスピーカから屋外インターフォンマイク２０１から入力された訪問者の音声が出力され、また、この音声に応じてユーザが応答すると、インターフォンシステム１は、このＰＨＳ子機３０３による応対音声を屋外インターフォンスピーカ２０２から出力させる。
【０１３８】
このように、本実施の形態によれば、玄関先機構部２００の屋外インターフォンマイク２０１と屋外インターフォンスピーカ２０２をＰＨＳ親機３０１を介してＰＨＳ子機３０３に接続した際にＰＨＳ親機３０１からの来訪に対する呼出であることを示す来訪情報信号をＰＨＳ子機３０３に出力し、ＰＨＳ子機３０３が、来訪情報信号を受信すると、呼出を行う際に来訪呼出である旨の情報をディスプレイに表示する。
【０１３９】
したがって、周囲の雑音等に影響されることなく、来訪による呼出であるか通常の電話による呼出であるかがより一層確実に分かるようにすることができ、当該呼出に応対する際により適切な応対を可能として、インターフォンシステム１の利用性をより一層向上させることができる。
【０１４０】
なお、本実施の形態においては、ディスプレイ表示部１０８を屋内機構部１００に設けているが、玄関先機構部２００あるいは通信機構部３００のＰＨＳ子機３０３に設けてもよい。ＰＨＳ子機３０３にディスプレイ表示部１０８に設ける場合には、ＰＨＳ親機３０１からの呼出であか否かを認識して、ＰＨＳ親機３０１からの呼出であると、上述のようなインターフォン呼出であることを示す表示処理を行う。
【０１４１】
図７は、本発明のインターフォンシステムの第６の実施の形態を示す図であり、本実施の形態は、屋外インターフォンをＰＨＳ子機に接続した際に、ＰＨＳ子機から選択した所定のメッセージをプリントアウトして訪問者に示すもので、請求項６に対応するものである。
【０１４２】
なお、本実施の形態は、上記図１と同様のインターフォンシステムに適用したものであり、本実施の形態の説明においては、上記図１で用いた符号をそのまま用いて説明する。
【０１４３】
図７は、本発明のインターフォンシステムの第６の実施の形態のインターフォンシステム１のシステム構成図であり、本実施の形態のインターフォンシステム１は、図７に示すように、屋内機構部１００として、屋内インターフォンマイク１０１、屋内インターフォンスピーカ１０２、接続先切換部１０３、制御部１０４、固定メッセージ選択部５、固定メッセージ発生部１０６、来客モード信号発生部１０７及びディスプレイ表示部１０８を、玄関先機構部２００として、屋外インターフォンマイク２０１、屋外インターフォンスピーカ２０２、印字メッセージ記憶部２０７及び印字部２０８を、通信機能部３００として、ＰＨＳ親機３０１、子機位置判別・モード切換部３０２、ＰＨＳ子機３０３を、それぞれ備えている。なお、本実施の形態においては、固定メッセージ選択部５、固定メッセージ発生部１０６、来客モード信号発生部１０７及びディスプレイ表示部１０８は、必ずしも必要ではない。
【０１４４】
印字メッセージ記憶部２０７は、上述のように、来客に対するメッセージであって、印字部２０８で印字させるメッセージを複数種類記憶するもので、制御部１０４により読み取られて印字部２０８に出力される。
【０１４５】
印字部２０８は、上述のように、例えば、サーマル素子を利用したサーマル記録装置、インク噴射式記録装置、あるいは、電子写真式記録装置等が使用されており、制御部１０４の制御下で動作して、印字メッセージ記憶部２０７から転送されてきたメッセージを記録紙に記録出力して、上記書類投入口、書類排出口、あるいは、専用のメッセージ排出口から排出する。
【０１４６】
次に、本実施の形態の作用を説明する。本実施の形態のインターフォンシステム１は、ＰＨＳ子機３０３が屋内にあるか、屋外にあるかを自動判別してＰＨＳ子機３０３をＰＨＳ親機３０１の子機としての機能を持たせるか、ＰＨＳとしての機能の他にインターフォン機能としての機能を持たせるかを制御するとともに、ＰＨＳ子機３０３が屋外にあるときに、屋外インターフォンをＰＨＳ子機３０３に接続した際に、ＰＨＳ子機３０３から選択した印字メッセージを印字して訪問者に示すところにその特徴がある。
【０１４７】
すなわち、インターフォンシステム１は、子機位置判別・モード切換部３０２がＰＨＳ子機３０３が屋内にあるか、図７に遠隔地（Ｃ）の位置に示すように、屋内から持ち出されて屋外にあるかを自動判別する。
【０１４８】
子機位置判別・モード切換部３０２は、ＰＨＳ子機３０３が屋内にあることを検出すると、ＰＨＳ親機３０１にＰＨＳ子機３０３の親機としての機能を持たせるようにモード切換処理を行うとともに、制御部１０４にＰＨＳ子機３０３が屋内にある旨を通知する。したがって、ＰＨＳ子機３０３は、ＰＨＳ親機３０１の子機として機能し、ＰＨＳ親機３０１を介して通常のコードレス電話の子機として機能動作する。
【０１４９】
制御部１０４は、ＰＨＳ子機３０３が屋内にあると、接続先切換部１０３を制御して、屋外インターフォンマイク２０１及び屋外インターフォンスピーカ２０２を屋内インターフォンマイク１０１及び屋内インターフォンスピーカ１０２に接続させ、屋外インターフォンマイク２０１及び屋外インターフォンスピーカ２０２と、屋内インターフォンマイク１０１及び屋内インターフォンスピーカ１０２を使用したインターフォン機能として動作させる。
【０１５０】
また、子機位置判別・モード切換部３０２は、ＰＨＳ子機３０３が図７の遠隔地のように屋外にあることを検出すると、ＰＨＳ親機３０１にＰＨＳ子機３０３の親機としての機能を停止させ屋外インターフォンマイク２０１と屋外インターフォンスピーカ２０２を回線を介してＰＨＳ子機３０３に接続する中継モードにモード切換処理を行うとともに、制御部１０４にＰＨＳ子機３０３が屋外にある旨を通知する。したがって、ＰＨＳ子機３０３は、通常のＰＨＳとして機能動作する。
【０１５１】
制御部１０４は、ＰＨＳ子機３０３が屋外にあると、接続先切換部１０３を制御して、屋外インターフォンマイク２０１及び屋外インターフォンスピーカ２０２をＰＨＳ親機３０１に接続させ、屋外インターフォンマイク２０１及び屋外インターフォンスピーカ２０２とＰＨＳ子機３０３を使用したインターフォン機能として動作させるとともに、来客モード信号発生部１０７を動作させて、来客モード信号をＰＨＳ親機３０１を介してＰＨＳ子機３０３に送出させ、また、ディスプレイ表示部１０８を動作させて、インターフォン呼出である旨の来訪情報信号をＰＨＳ親機３０１を介してＰＨＳ子機３０３に送出させる。また、制御部１０４は、固定メッセージ選択部１０５に固定メッセージ発生部１０６の有している音声メッセージのうち、来訪者の種別に応じた音声メッセージを選択させて固定メッセージ発生部１０６に発生させ、当該音声メッセージを屋外インターフォンスピーカ２０２から出力させる。
【０１５２】
したがって、来客があって、図示しないインターフォンボタンが押下されると、制御部１０４は、屋外インターフォンマイク２０１及び屋外インターフォンスピーカ２０２と、ＰＨＳ親機３０１と、を接続して、ＰＨＳ親機３０１は、公衆回線及びＰＨＳ公衆基地局を介してＰＨＳ子機３０３を呼び出すとともに、来客モード信号をＰＨＳ子機３０３に送出し、また、インターフォン呼出である旨の来訪情報信号をＰＨＳ子機３０３に送出し、ＰＨＳ子機３０３は、この来客モード信号を受信すると、インターフォン呼出であることを示す呼出処理を行って、通常の電話による呼出ではなく、インターフォン呼出であることがユーザに分かるようにするとともに、そのディスプレイにインターフォン呼出である旨の表示情報を表示出力する。
【０１５３】
ユーザは、呼出音とディスプレイの表示情報によりインターフォン呼出であることを容易かつ適切に認識することができ、このインターフォン呼出とに応じて、ユーザがＰＨＳ子機３０３のオフフック操作を行うと、ＰＨＳ子機３０３のスピーカから屋外インターフォンマイク２０１から入力された来訪者の音声が出力され、また、この音声に応じてユーザが応答すると、インターフォンシステム１は、このＰＨＳ子機３０３による応対音声を屋外インターフォンスピーカ２０２から出力させる。
【０１５４】
そして、ユーザは、ＰＨＳ子機３０３から印字メッセージ選択操作を行うことにより、選択した印字メッセージを玄関先機構部２００の印字部２０８に印字出力させることができる。すなわち、ユーザは、例えば、ＰＨＳ子機３０３のテンキーや機能キー（＃キー、＊キー等）の操作により印字メッセージ記憶部２０７に記憶されている複数の印字メッセージのうちの１つを選択する印字メッセージ選択操作と印字命令操作を行って、ＰＨＳ子機３０３は、この操作に応じて印字メッセージ選択情報（メッセージ情報）と印字命令を所定の信号、例えば、ＤＴＭＦ（Dual Tone Multifrequency )信号により通信機構部３００に送出する。
【０１５５】
通信機構部３００は、屋外のＰＨＳ子機３０３から印字メッセージ選択情報と印字命令を受信すると、子機位置判別・モード切換部３０２あるいはＰＨＳ親機３０１から当該印字メッセージ選択情報と印字命令を制御部１０４に出力し、制御部１０４は、印字メッセージ選択情報に基づいて印字メッセージ記憶部２０７から複数の印字メッセージのうち印字メッセージ選択情報で指定された印字メッセージを読み出して印字部２０８に出力して、当該印字メッセージを印字部２０８に記録紙に記録出力させる。印字部２０８は、転送されてきた印字メッセージを記録紙に記録出力して、印字メッセージを記録した記録紙を書類投入口、書類排出口、あるいは、専用のメッセージ排出口から排出する。
【０１５６】
したがって、ユーザは、ＰＨＳ子機３０３から指定した印字メッセージを記録出力して、訪問者に提示することができ、音声だけで応答する場合よりも明確で、適切な応対を行うことができる。
【０１５７】
このように、本実施の形態によれば、玄関先機構部２００の屋外インターフォンマイク２０１及び屋外インターフォンスピーカ２０２をＰＨＳ親機３０１を介してＰＨＳ子機３０３に接続し、ＰＨＳ子機３０３からメッセージ情報が送られてくると、印字部２０８で当該メッセージ情報に対応したメッセージを印字メッセージ記憶部２０７から選択して記録出力し訪問者に提示している。
【０１５８】
したがって、訪問者に適切にメッセージを伝達することができ、より一層適切な応対を可能として、インターフォンシステム１の利用性をより一層向上させることができる。
【０１５９】
なお、本実施の形態においては、印字メッセージ記憶部２０７及び印字部２０８を玄関先機構部２００に設けているが、印字メッセージ記憶部２０７は、屋内機構部１００が玄関先機構部２００に極めて近く、画像データの転送が容易であれば、屋内機構部１００に設けられていてもよく、また、ＰＨＳ子機３０３がファクシミリ送信機能を備えているときには、ＰＨＳ子機３０３に印字メッセージ記憶部２０７を設けて、選択された印字メッセージをファクシミリ画像データとして送信して印字部２０８に記録出力させるようにしてもよい。
【０１６０】
図８は、本発明のインターフォンシステムの第７の実施の形態を示す図であり、本実施の形態は、屋外インターフォンをＰＨＳ子機に接続した際に、荷物受取ボックスに荷物を受け入れたことを確認した後に、捺印を求められると、伝票に捺印を行って伝票を返却するもので、請求項７に対応するものである。
【０１６１】
なお、本実施の形態は、上記図１と同様のインターフォンシステムに適用したものであり、本実施の形態の説明においては、上記図１で用いた符号をそのまま用いて説明する。
【０１６２】
図８は、本発明のインターフォンシステムの第７の実施の形態のインターフォンシステム１の要部を示すシステム構成図であり、本実施の形態のインターフォンシステム１は、図８に示すように、屋内機構部１００として、屋内インターフォンマイク１０１、屋内インターフォンスピーカ１０２、接続先切換部１０３、制御部１０４、固定メッセージ選択部５、固定メッセージ発生部１０６、来客モード信号発生部１０７及びディスプレイ表示部１０８を、玄関先機構部２００として、屋外インターフォンマイク２０１、屋外インターフォンスピーカ２０２、印字メッセージ記憶部２０７、印字部２０８、読取部２０４、ペーパーパス切換部２０５、捺印部２０６、印字メッセージ記憶部２０７、印字部２０８、送信画像メモリ２０９及び荷物受取ボックス２１０を、通信機能部３００として、ＰＨＳ親機３０１、子機位置判別・モード切換部３０２、ＰＨＳ子機３０３を、それぞれ備えている。なお、本実施の形態においては、固定メッセージ選択部５、固定メッセージ発生部１０６、来客モード信号発生部１０７及びディスプレイ表示部１０８は、必ずしも必要ではない。
【０１６３】
玄関先機構部２００の読取部２０４は、上述のように、来客が書類投入口（図示略）に挿入した原稿や伝票等の書類の画像を読み取り、読取部２０４の読み取った書類の画像は、必要に応じて送信画像メモリ２０９に記憶されて、ＰＨＳ親機３０１を介してＰＨＳ子機３０３や指定ＦＡＸ４０１に送信される。
【０１６４】
ペーパーパス切換部２０５は、書類投入口から投入されて読取部２０４で読み取られた書類を、そのまま図示しない書類排出口あるいは再び書類投入口に排出する搬送経路と、捺印部２０６を介して書類排出口あるいは再び書類投入口に排出する搬送経路と、に切り換えるもので、制御部１０４の制御下で上記搬送経路の切り換えを行う。
【０１６５】
捺印部２０６は、制御部１０４の制御下で動作して、ペーパーパス切換部２０５を介して送られてきた書類、例えば、宅配便の伝票等のように捺印を必要とする書類に捺印処理を行って、書類排出口あるいは再び書類投入口に排出する。
【０１６６】
送信画像メモリ２０９は、制御部１０４の制御下で、読取部２０４の読み取った原稿の画像をＰＨＳ子機３０３に送信するための送信画像として記憶し、制御部１０４は、この送信画像メモリ２０９内の送信画像を外出先のＰＨＳ子機３０３に送信する。
【０１６７】
荷物受取ボックス２１０は、宅配便等の荷物を受け取るためのボックスであり、自動ロックあるいはリモートロックにより投入された荷物の盗難を防止できるようになっている。また、荷物受取ボックス２１０は、荷物が投入されたことを検知する荷物センサを備えていてもよく、この荷物センサが荷物が投入されたことを検知した後、捺印部２０６で伝票に捺印させるようにしてもよい。
【０１６８】
次に、本実施の形態の作用を説明する。本実施の形態のインターフォンシステム１は、ＰＨＳ子機３０３が屋内にあるか、屋外にあるかを自動判別してＰＨＳ子機３０３をＰＨＳ親機３０１の子機としての機能を持たせるか、ＰＨＳとしての機能の他にインターフォン機能としての機能を持たせるかを制御するとともに、ＰＨＳ子機３０３が屋外にあるときに、屋外インターフォンをＰＨＳ子機３０３に接続した際に、荷物受取ボックスに荷物を受け入れたことを確認した後に、捺印を求められると、伝票に捺印を行って伝票を返却するところにその特徴がある。
【０１６９】
すなわち、インターフォンシステム１は、子機位置判別・モード切換部３０２がＰＨＳ子機３０３が屋内にあるか、図８に遠隔地（Ｃ）の位置に示すように、屋内から持ち出されて屋外にあるかを自動判別する。
【０１７０】
子機位置判別・モード切換部３０２は、ＰＨＳ子機３０３が屋内にあることを検出すると、ＰＨＳ親機３０１にＰＨＳ子機３０３の親機としての機能を持たせるようにモード切換処理を行うとともに、制御部１０４にＰＨＳ子機３０３が屋内にある旨を通知する。したがって、ＰＨＳ子機３０３は、ＰＨＳ親機３０１の子機として機能し、ＰＨＳ親機３０１を介して通常のコードレス電話の子機として機能動作する。
【０１７１】
制御部１０４は、ＰＨＳ子機３０３が屋内にあると、接続先切換部１０３を制御して、屋外インターフォンマイク２０１及び屋外インターフォンスピーカ２０２を屋内インターフォンマイク１０１及び屋内インターフォンスピーカ１０２に接続させ、屋外インターフォンマイク２０１及び屋外インターフォンスピーカ２０２と、屋内インターフォンマイク１０１及び屋内インターフォンスピーカ１０２を使用したインターフォン機能として動作させる。
【０１７２】
また、子機位置判別・モード切換部３０２は、ＰＨＳ子機３０３が図８の（Ｃ）遠隔地のように屋外にあることを検出すると、ＰＨＳ親機３０１にＰＨＳ子機３０３の親機としての機能を停止させ屋外インターフォンマイク２０１と屋外インターフォンスピーカ２０２を回線を介してＰＨＳ子機３０３に接続する中継モードにモード切換処理を行うとともに、制御部１０４にＰＨＳ子機３０３が屋外にある旨を通知する。したがって、ＰＨＳ子機３０３は、通常のＰＨＳとして機能動作する。
【０１７３】
制御部１０４は、ＰＨＳ子機３０３が屋外にあると、接続先切換部１０３を制御して、屋外インターフォンマイク２０１及び屋外インターフォンスピーカ２０２をＰＨＳ親機３０１に接続させ、屋外インターフォンマイク２０１及び屋外インターフォンスピーカ２０２とＰＨＳ子機３０３を使用したインターフォン機能として動作させるとともに、来客モード信号発生部１０７を動作させて、来客モード信号をＰＨＳ親機３０１を介してＰＨＳ子機３０３に送出させ、また、ディスプレイ表示部１０８を動作させて、インターフォン呼出である旨の来訪情報信号をＰＨＳ親機３０１を介してＰＨＳ子機３０３に送出させる。また、制御部１０４は、固定メッセージ選択部１０５に固定メッセージ発生部１０６の有している音声メッセージのうち、来訪者の種別に応じた音声メッセージを選択させて固定メッセージ発生部１０６に発生させ、当該音声メッセージを屋外インターフォンスピーカ２０２から出力させる。
【０１７４】
したがって、来客があって、図示しないインターフォンボタンが押下されると、制御部１０４は、屋外インターフォンマイク２０１及び屋外インターフォンスピーカ２０２と、ＰＨＳ親機３０１と、を接続して、ＰＨＳ親機３０１は、公衆回線及びＰＨＳ公衆基地局を介してＰＨＳ子機３０３を呼び出すとともに、来客モード信号をＰＨＳ子機３０３に送出し、また、インターフォン呼出である旨の来訪情報信号をＰＨＳ子機３０３に送出し、ＰＨＳ子機３０３は、この来客モード信号を受信すると、インターフォン呼出であることを示す呼出処理を行って、通常の電話による呼出ではなく、インターフォン呼出であることがユーザに分かるようにするとともに、そのディスプレイにインターフォン呼出である旨の表示情報を表示出力する。
【０１７５】
ユーザは、呼出音とディスプレイの表示情報によりインターフォン呼出であることを容易かつ適切に認識することができ、このインターフォン呼出とに応じて、ユーザがＰＨＳ子機３０３のオフフック操作を行うと、ＰＨＳ子機３０３のスピーカから屋外インターフォンマイク２０１から入力された来訪者の音声が出力され、また、この音声に応じてユーザが応答すると、インターフォンシステム１は、このＰＨＳ子機３０３による応対音声を屋外インターフォンスピーカ２０２から出力させる。
【０１７６】
また、ユーザは、ＰＨＳ子機３０３から印字メッセージ選択操作を行うことにより、選択した印字メッセージを玄関先機構部２００の印字部２０８に印字出力させることができる。
【０１７７】
そして、訪問者が宅配便の配達人等である場合、ユーザは、ＰＨＳ子機３０３から応対して、伝票を読取部２０４の書類投入口に挿入することを促し、インターフォンシステム１は、伝票が挿入されると、読取部２０４で当該伝票を読み取ってペーパパス切換部２０５に搬送する。制御部１０４は、読取部２０４の読み取った伝票の画像を送信画像メモリ２０９に一時記憶した後、ＰＨＳ親機３０１を介してＰＨＳ子機３０３に送信し、ＰＨＳ子機３０３のディスプレイに表示させる。
【０１７８】
ＰＨＳ子機３０３のユーザは、ディスプレイに表示される伝票の画像を見て伝票の内容を確認することができる。
【０１７９】
その後、訪問者が荷物を荷物受取ボックス２１０の投入し、荷物受取ボックス２１０のセンサが荷物が荷物受取ボックス２１０に投入されたことを検出すると、制御部１０４は、荷物受取ボックス２１０を自動ロックするとともに、必要に応じて、荷物が荷物受取ボックス２１０に投入されたことを示す情報をＰＨＳ親機３０１を介してＰＨＳ子機３０３に送信する。なお、荷物受取ボックス２１０のロックは、ＰＣ子機３０３に荷物が荷物受取ボックス２１０に投入されたことを示す情報が送信されてきたときに、ＰＨＳ子機３０３からのロック指示操作に応じて、制御部１０４がロックするリモートロックにより行うようにしてもよい。
【０１８０】
そして、訪問者から屋外インターフォンマイク２０１を介して伝票への捺印の要求があると、ユーザは、ＰＨＳ子機３０３で所定のキー操作を行って、捺印指示を行い、ＰＨＳ子機３０３は、捺印指示命令を所定の信号（捺印信号）、例えば、ＤＴＭＦ信号により通信機構部３００に送信する。
【０１８１】
通信機構部３００は、屋外のＰＨＳ子機３０３から捺印指示命令を受信すると、子機位置判別・モード切換部３０２あるいはＰＨＳ親機３０１から当該捺印指示命令を制御部１０４に出力し、制御部１０４は、ペーパーパス切換部２０５を制御して読取部２０４からの伝票を捺印部２０６に切り換えて搬送させる。制御部１０４は、捺印部２０６を制御してペーパーパス切換部２０６から搬送されてきた伝票に捺印を押印させ、捺印の行われた伝票を書類投入口あるいは書類排出口から排出させて、訪問者にわたるようにする。
【０１８２】
このように、本実施の形態によれば、玄関先機構部２００の屋外インターフォンマイク３２０１と屋外インターフォンスピーカ２０２をＰＨＳ親機３０１を介してＰＨＳ子機３０３に接続した際、荷物受取ボックス２１０に荷物が投入されて、読取部２０４に用紙が挿入され、ＰＨＳ子機３０３から捺印を指示する捺印信号が入力されると、ペーパーパス切換部２０５により読取部２０４の読み取った用紙を捺印部２０６に搬送して、読取部２０４の読み取った用紙の画像情報に基づいて捺印部２０６で用紙の所定位置に捺印処理を行った後、当該用紙を排出している。
【０１８３】
したがって、宅配便等で伝票等の用紙に捺印やサイン等を必要とする場合にも、適切に捺印を行うことができ、より一層適切な応対を行うことができるとともに、通常のファクシミリ装置に捺印部２０６とペーパーパス切換部２０５を設けるだけで捺印処理を行って用紙を訪問者に排出することができ、インターフォンシステム１を安価で、かつ、より一層利用性の良好なものとすることができる。
【０１８４】
図９は、本発明のインターフォンシステムの第８の実施の形態を示す図であり、本実施の形態は、屋外インターフォンをＰＨＳ子機に接続した際に、伝票や原稿等の書類を読み取って、当該読み取った書類の画像を指定されたファクシミリ装置にファクシミリ送信するもので、請求項８に対応するものである。
【０１８５】
なお、本実施の形態は、上記図１と同様のインターフォンシステムに適用したものであり、本実施の形態の説明においては、上記図１で用いた符号をそのまま用いて説明する。
【０１８６】
図９は、本発明のインターフォンシステムの第８の実施の形態のインターフォンシステム１のシステム構成図であり、本実施の形態のインターフォンシステム１は、図９に示すように、屋内機構部１００として、屋内インターフォンマイク１０１、屋内インターフォンスピーカ１０２、接続先切換部１０３、制御部１０４、固定メッセージ選択部５、固定メッセージ発生部１０６、来客モード信号発生部１０７、ディスプレイ表示部１０８及び送信先ＦＡＸ指定部１０９を、玄関先機構部２００として、屋外インターフォンマイク２０１、屋外インターフォンスピーカ２０２、読取部２０４、ペーパーパス切換部２０５、捺印部２０６、印字メッセージ記憶部２０７、印字部２０８、送信画像メモリ２０９及び荷物受取ボックス２１０を、通信機能部３００として、ＰＨＳ親機３０１、子機位置判別・モード切換部３０２、ＰＨＳ子機３０３を、それぞれ備えている。なお、本実施の形態においては、固定メッセージ選択部５、固定メッセージ発生部１０６、来客モード信号発生部１０７、ディスプレイ表示部１０８、ペーパーパス切換部２０５、捺印部２０６、印字メッセージ記憶部２０７、印字部２０８及び荷物受取ボックス２１０は、必ずしも必要ではない。
【０１８７】
送信先ＦＡＸ指定部１０９は、読取部２０４の読み取った読取画像をファクシミリ画像として送信する送信先のファクシミリ装置（ＦＡＸ）を指定するもので、ユーザにより当該ユーザの外出先等に合わせて、図９の遠隔地（Ｃ）に指定ＦＡＸ４０１として示すように、送信先のファクシミリ装置が適宜入力指定され、制御部１０４は、この送信先ＦＡＸ指定部１０９で指定されたファクシミリ装置である指定ＦＡＸ４０１にＰＨＳ親機３０１を介して上記ファクシミリ画像を送信させる。
【０１８８】
次に、本実施の形態の作用を説明する。本実施の形態のインターフォンシステム１は、ＰＨＳ子機３０３が屋内にあるか、屋外にあるかを自動判別してＰＨＳ子機３０３をＰＨＳ親機３０１の子機としての機能を持たせるか、ＰＨＳとしての機能の他にインターフォン機能としての機能を持たせるかを制御するとともに、ＰＨＳ子機３０３が屋外にあるときに、屋外インターフォンをＰＨＳ子機３０３に接続した際に、読取部２０４の読み取った書類の画像を指定されたファクシミリ装置である指定ＦＡＸ４０１にファクシミリ送信するところにその特徴がある。
【０１８９】
すなわち、インターフォンシステム１は、子機位置判別・モード切換部３０２がＰＨＳ子機３０３が屋内にあるか、図９に遠隔地（Ｃ）の位置に示すように、屋内から持ち出されて屋外にあるかを自動判別する。
【０１９０】
子機位置判別・モード切換部３０２は、ＰＨＳ子機３０３が屋内にあることを検出すると、ＰＨＳ親機３０１にＰＨＳ子機３０３の親機としての機能を持たせるようにモード切換処理を行うとともに、制御部１０４にＰＨＳ子機３０３が屋内にある旨を通知する。したがって、ＰＨＳ子機３０３は、ＰＨＳ親機３０１の子機として機能し、ＰＨＳ親機３０１を介して通常のコードレス電話の子機として機能動作する。
【０１９１】
制御部１０４は、ＰＨＳ子機３０３が屋内にあると、接続先切換部１０３を制御して、屋外インターフォンマイク２０１及び屋外インターフォンスピーカ２０２を屋内インターフォンマイク１０１及び屋内インターフォンスピーカ１０２に接続させ、屋外インターフォンマイク２０１及び屋外インターフォンスピーカ２０２と、屋内インターフォンマイク１０１及び屋内インターフォンスピーカ１０２を使用したインターフォン機能として動作させる。
【０１９２】
また、子機位置判別・モード切換部３０２は、ＰＨＳ子機３０３が図９の（Ｃ）遠隔地のように屋外にあることを検出すると、ＰＨＳ親機３０１にＰＨＳ子機３０３の親機としての機能を停止させ屋外インターフォンマイク２０１と屋外インターフォンスピーカ２０２を回線を介してＰＨＳ子機３０３に接続する中継モードにモード切換処理を行うとともに、制御部１０４にＰＨＳ子機３０３が屋外にある旨を通知する。したがって、ＰＨＳ子機３０３は、通常のＰＨＳとして機能動作する。
【０１９３】
制御部１０４は、ＰＨＳ子機３０３が屋外にあると、接続先切換部１０３を制御して、屋外インターフォンマイク２０１及び屋外インターフォンスピーカ２０２をＰＨＳ親機３０１に接続させ、屋外インターフォンマイク２０１及び屋外インターフォンスピーカ２０２とＰＨＳ子機３０３を使用したインターフォン機能として動作させるとともに、来客モード信号発生部１０７を動作させて、来客モード信号をＰＨＳ親機３０１を介してＰＨＳ子機３０３に送出させ、また、ディスプレイ表示部１０８を動作させて、インターフォン呼出である旨の来訪情報信号をＰＨＳ親機３０１を介してＰＨＳ子機３０３に送出させる。また、制御部１０４は、固定メッセージ選択部１０５に固定メッセージ発生部１０６の有している音声メッセージのうち、来訪者の種別に応じた音声メッセージを選択させて固定メッセージ発生部１０６に発生させ、当該音声メッセージを屋外インターフォンスピーカ２０２から出力させる。
【０１９４】
したがって、来客があって、図示しないインターフォンボタンが押下されると、制御部１０４は、屋外インターフォンマイク２０１及び屋外インターフォンスピーカ２０２と、ＰＨＳ親機３０１と、を接続して、ＰＨＳ親機３０１は、公衆回線及びＰＨＳ公衆基地局を介してＰＨＳ子機３０３を呼び出すとともに、来客モード信号をＰＨＳ子機３０３に送出し、また、インターフォン呼出である旨の来訪情報信号をＰＨＳ子機３０３に送出し、ＰＨＳ子機３０３は、この来客モード信号を受信すると、インターフォン呼出であることを示す呼出処理を行って、通常の電話による呼出ではなく、インターフォン呼出であることがユーザに分かるようにするとともに、そのディスプレイにインターフォン呼出である旨の表示情報を表示出力する。
【０１９５】
また、インターフォンシステム１は、来訪者の種別に応じた音声メッセージを固定メッセージ選択部１０５を介して固定メッセージ発生部１０６に発生させて、当該音声メッセージを屋外インターフォンスピーカ２０２から出力させる。その後、音声メッセージに応じて、屋外インターフォンマイク２０１に向かって発生された音声を屋外インターフォンマイク２０１で集音して、ＰＨＳ親機３０１を介してＰＨＳ子機３０３に送信させてＰＨＳ子機３０３のスピーカから出力させ、屋外インターフォンマイク２０１及び屋外インターフォンスピーカ２０２と、ＰＨＳ子機３０３によるインターフォン応対を可能とする。
【０１９６】
さらに、ユーザは、ＰＨＳ子機３０３から印字メッセージ選択操作を行うことにより、選択した印字メッセージを玄関先機構部２００の印字部２０８に印字出力させることができる。
【０１９７】
さらに、訪問者が宅配便の配達人等である場合、ユーザは、ＰＨＳ子機３０３から応対して、伝票を読取部２０４の書類投入口に挿入することを促し、インターフォンシステム１は、伝票が挿入されると、読取部２０４で当該伝票を読み取ってペーパパス切換部２０５に搬送する。制御部１０４は、読取部２０４の読み取った伝票の画像を送信画像メモリ２０９に一時記憶した後、送信先ＦＡＸ指定部１０９で予め指定された指定ＦＡＸ４０１にファクシミリ送信する。
【０１９８】
ＰＨＳ子機３０３のユーザは、指定ＦＡＸ４０１に送信されてきて、記録出力されたファクシミリ原稿により、伝票の内容をより一層明確に確認することができる。
【０１９９】
その後、訪問者が荷物を荷物受取ボックス２１０の投入し、荷物受取ボックス２１０のセンサが荷物が荷物受取ボックス２１０に投入されたことを検出すると、制御部１０４は、荷物受取ボックス２１０を自動ロックするとともに、必要に応じて、荷物が荷物受取ボックス２１０に投入されたことを示す情報をＰＨＳ親機３０１を介してＰＨＳ子機３０３に送信する。なお、荷物受取ボックス２１０のロックは、ＰＣ子機３０３に荷物が荷物受取ボックス２１０に投入されたことを示す情報が送信されてきたときに、ＰＨＳ子機３０３からのロック指示操作に応じて、制御部１０４がロックするリモートロックにより行うようにしてもよい。
【０２００】
そして、訪問者から屋外インターフォンマイク２０１を介して伝票への捺印の要求があると、ユーザは、ＰＨＳ子機３０３で所定のキー操作を行って、捺印指示を行い、ＰＨＳ子機３０３は、捺印指示命令を所定の信号により通信機構部３００に送信する。
【０２０１】
通信機構部３００は、屋外のＰＨＳ子機３０３から捺印指示命令を受信すると、子機位置判別・モード切換部３０２あるいはＰＨＳ親機３０１から当該捺印指示命令を制御部１０４に出力し、制御部１０４は、ペーパーパス切換部２０５を制御して読取部２０４からの伝票を捺印部２０６に切り換えて搬送させる。制御部１０４は、捺印部２０６を制御してペーパーパス切換部２０６から搬送されてきた伝票に捺印を押印させ、捺印の行われた伝票を書類投入口あるいは書類排出口から排出させて、訪問者にわたるようにする。
【０２０２】
このように、本実施の形態によれば、玄関先機構部２００の屋外インターフォンマイク２０１と屋外インターフォンスピーカ２０２をＰＨＳ親機３０１を介してＰＨＳ子機３０３に接続した際、読取部２０４に挿入された用紙を読み取って、当該読み取った画像を送信先ＦＡＸ指定部１０９で予め指定されたファクシミリ装置へ送信している。
【０２０３】
したがって、宅配便の伝票等の訪問者の提示した用紙をファクシミリ送信されてきた画像で確認して、訪問者の用件を適切かつ確実に把握することができ、より一層適切な応対を可能として、インターフォンシステム１の利用性をより一層向上させることができる。
【０２０４】
図１０は、本発明のインターフォンシステムの第９の実施の形態を示す図であり、本実施の形態は、屋外インターフォンをＰＨＳ子機に接続した際に、指定ＦＡＸから所定の書類をファクシミリ送信して、訪問者に印字出力したファクシミリ送信原稿を提示するもので、請求項９に対応するものである。
【０２０５】
なお、本実施の形態は、上記図１と同様のインターフォンシステムに適用したものであり、本実施の形態の説明においては、上記図１で用いた符号をそのまま用いて説明する。
【０２０６】
図１０は、本発明のインターフォンシステムの第９の実施の形態のインターフォンシステム１のシステム構成図であり、本実施の形態のインターフォンシステム１は、図１０に示すように、屋内機構部１００として、屋内インターフォンマイク１０１、屋内インターフォンスピーカ１０２、接続先切換部１０３、制御部１０４、固定メッセージ選択部５、固定メッセージ発生部１０６、来客モード信号発生部１０７、ディスプレイ表示部１０８及び送信先ＦＡＸ指定部１０９を、玄関先機構部２００として、屋外インターフォンマイク２０１、屋外インターフォンスピーカ２０２、読取部２０４、ペーパーパス切換部２０５、捺印部２０６、印字メッセージ記憶部２０７、印字部２０８、送信画像メモリ２０９及び荷物受取ボックス２１０を、通信機能部３００として、ＰＨＳ親機３０１、子機位置判別・モード切換部３０２、ＰＨＳ子機３０３を、それぞれ備えている。なお、固定メッセージ選択部５、固定メッセージ発生部１０６、来客モード信号発生部１０７、ディスプレイ表示部１０８、読取部２０４、ペーパーパス切換部２０５、捺印部２０６、送信画像メモリ２０９及び荷物受取ボックス２１０は、必ずしも必要ではない。
【０２０７】
インターフォンシステム１は、上記ファクシミリ通信機能としてポーリング機能を有しており、送信先ＦＡＸ指定部１０９で指定された指定ＦＡＸ４０１にポーリング送信要求を行って、指定ＦＡＸ４０１から受信したファクシミリ画像を印字部２０８で記録出力する。
【０２０８】
次に、本実施の形態の作用を説明する。本実施の形態のインターフォンシステム１は、ＰＨＳ子機３０３が屋内にあるか、屋外にあるかを自動判別してＰＨＳ子機３０３をＰＨＳ親機３０１の子機としての機能を持たせるか、ＰＨＳとしての機能の他にインターフォン機能としての機能を持たせるかを制御するとともに、ＰＨＳ子機３０３が屋外にあるときに、屋外インターフォンをＰＨＳ子機３０３に接続した際に、ＰＨＳ子機３０３からのリモート操作により、あるいは、ポーリングにより、指定ＦＡＸ４０１からファクシミリ受信を行って、受信画像を記録出力するところにその特徴がある。
【０２０９】
すなわち、インターフォンシステム１は、子機位置判別・モード切換部３０２がＰＨＳ子機３０３が屋内にあるか、図１０に遠隔地（Ｃ）の位置に示すように、屋内から持ち出されて屋外にあるかを自動判別する。
【０２１０】
子機位置判別・モード切換部３０２は、ＰＨＳ子機３０３が屋内にあることを検出すると、ＰＨＳ親機３０１にＰＨＳ子機３０３の親機としての機能を持たせるようにモード切換処理を行うとともに、制御部１０４にＰＨＳ子機３０３が屋内にある旨を通知する。したがって、ＰＨＳ子機３０３は、ＰＨＳ親機３０１の子機として機能し、ＰＨＳ親機３０１を介して通常のコードレス電話の子機として機能動作する。
【０２１１】
制御部１０４は、ＰＨＳ子機３０３が屋内にあると、接続先切換部１０３を制御して、屋外インターフォンマイク２０１及び屋外インターフォンスピーカ２０２を屋内インターフォンマイク１０１及び屋内インターフォンスピーカ１０２に接続させ、屋外インターフォンマイク２０１及び屋外インターフォンスピーカ２０２と、屋内インターフォンマイク１０１及び屋内インターフォンスピーカ１０２を使用したインターフォン機能として動作させる。
【０２１２】
また、子機位置判別・モード切換部３０２は、ＰＨＳ子機３０３が図１０の（Ｃ）遠隔地のように屋外にあることを検出すると、ＰＨＳ親機３０１にＰＨＳ子機３０３の親機としての機能を停止させ屋外インターフォンマイク２０１と屋外インターフォンスピーカ２０２を回線を介してＰＨＳ子機３０３に接続する中継モードにモード切換処理を行うとともに、制御部１０４にＰＨＳ子機３０３が屋外にある旨を通知する。したがって、ＰＨＳ子機３０３は、通常のＰＨＳとして機能動作する。
【０２１３】
制御部１０４は、ＰＨＳ子機３０３が屋外にあると、接続先切換部１０３を制御して、屋外インターフォンマイク２０１及び屋外インターフォンスピーカ２０２をＰＨＳ親機３０１に接続させ、屋外インターフォンマイク２０１及び屋外インターフォンスピーカ２０２とＰＨＳ子機３０３を使用したインターフォン機能として動作させるとともに、来客モード信号発生部１０７を動作させて、来客モード信号をＰＨＳ親機３０１を介してＰＨＳ子機３０３に送出させ、また、ディスプレイ表示部１０８を動作させて、インターフォン呼出である旨の来訪情報信号をＰＨＳ親機３０１を介してＰＨＳ子機３０３に送出させる。また、制御部１０４は、固定メッセージ選択部１０５に固定メッセージ発生部１０６の有している音声メッセージのうち、来訪者の種別に応じた音声メッセージを選択させて固定メッセージ発生部１０６に発生させ、当該音声メッセージを屋外インターフォンスピーカ２０２から出力させる。
【０２１４】
したがって、来客があって、図示しないインターフォンボタンが押下されると、制御部１０４は、屋外インターフォンマイク２０１及び屋外インターフォンスピーカ２０２と、ＰＨＳ親機３０１と、を接続して、ＰＨＳ親機３０１は、公衆回線及びＰＨＳ公衆基地局を介してＰＨＳ子機３０３を呼び出すとともに、来客モード信号をＰＨＳ子機３０３に送出し、また、インターフォン呼出である旨の来訪情報信号をＰＨＳ子機３０３に送出し、ＰＨＳ子機３０３は、この来客モード信号を受信すると、インターフォン呼出であることを示す呼出処理を行って、通常の電話による呼出ではなく、インターフォン呼出であることがユーザに分かるようにするとともに、そのディスプレイにインターフォン呼出である旨の表示情報を表示出力する。
【０２１５】
ユーザは、呼出音とディスプレイの表示情報によりインターフォン呼出であることを容易かつ適切に認識することができ、このインターフォン呼出とに応じて、ユーザがＰＨＳ子機３０３のオフフック操作を行うと、ＰＨＳ子機３０３のスピーカから屋外インターフォンマイク２０１から入力された来訪者の音声が出力され、また、この音声に応じてユーザが応答すると、インターフォンシステム１は、このＰＨＳ子機３０３による応対音声を屋外インターフォンスピーカ２０２から出力させる。
【０２１６】
また、インターフォンシステム１は、来訪者の種別に応じた音声メッセージを固定メッセージ選択部１０５を介して固定メッセージ発生部１０６に発生させて、当該音声メッセージを屋外インターフォンスピーカ２０２から出力させる。その後、音声メッセージに応じて、屋外インターフォンマイク２０１に向かって発生された音声を屋外インターフォンマイク２０１で集音して、ＰＨＳ親機３０１を介してＰＨＳ子機３０３に送信させてＰＨＳ子機３０３のスピーカから出力させ、屋外インターフォンマイク２０１及び屋外インターフォンスピーカ２０２と、ＰＨＳ子機３０３によるインターフォン応対を可能とする。
【０２１７】
さらに、ユーザは、ＰＨＳ子機３０３から印字メッセージ選択操作を行うことにより、選択した印字メッセージを玄関先機構部２００の印字部２０８に印字出力させることができる。
【０２１８】
また、訪問者が宅配便の配達人等である場合、ユーザは、ＰＨＳ子機３０３から応対して、伝票を読取部２０４の書類投入口に挿入することを促し、インターフォンシステム１は、伝票が挿入されると、読取部２０４で当該伝票を読み取ってペーパパス切換部２０５に搬送する。制御部１０４は、読取部２０４の読み取った伝票の画像を送信画像メモリ２０９に一時記憶した後、ＰＨＳ親機３０１を介してＰＨＳ子機３０３に送信して、ＰＨＳ子機３０３のディスプレイに表示させ、また、送信先ＦＡＸ指定部１０９で予め指定された指定ＦＡＸ４０１にファクシミリ送信する。
【０２１９】
ＰＨＳ子機３０３のユーザは、ディスプレイに表示される伝票の画像を見て伝票の内容を確認することができるとともに、指定ＦＡＸ４０１に送信されてきて、記録出力されたファクシミリ原稿により、伝票の内容をより一層明確に確認することができる。
【０２２０】
その後、訪問者が荷物を荷物受取ボックス２１０の投入し、荷物受取ボックス２１０のセンサが荷物が荷物受取ボックス２１０に投入されたことを検出すると、制御部１０４は、荷物受取ボックス２１０を自動ロックするとともに、必要に応じて、荷物が荷物受取ボックス２１０に投入されたことを示す情報をＰＨＳ親機３０１を介してＰＨＳ子機３０３に送信する。
【０２２１】
さらに、訪問者から屋外インターフォンマイク２０１を介して伝票への捺印の要求があると、ユーザは、ＰＨＳ子機３０３で所定のキー操作を行って、捺印指示を行い、ＰＨＳ子機３０３は、捺印指示命令を所定の信号により通信機構部３００に送信する。
【０２２２】
通信機構部３００は、屋外のＰＨＳ子機３０３から捺印指示命令を受信すると、子機位置判別・モード切換部３０２あるいはＰＨＳ親機３０１から当該捺印指示命令を制御部１０４に出力し、制御部１０４は、ペーパーパス切換部２０５を制御して読取部２０４からの伝票を捺印部２０６に切り換えて搬送させる。制御部１０４は、捺印部２０６を制御してペーパーパス切換部２０６から搬送されてきた伝票に捺印を押印させ、捺印の行われた伝票を書類投入口あるいは書類排出口から排出させて、訪問者にわたるようにする。
【０２２３】
そして、ユーザは、訪問者により詳細な情報を提示したいときには、ＰＨＳ子機３０３からのリモート操作により、あるいは、ポーリング送信要求動作を行わせ、指定ＦＡＸ４０１からＰＨＳ親機３０１を介して屋内機構部１００に訪問者に対するメッセージを記載した文書をファクシミリ送信させる。インターフォンシステム１は、ファクシミリ受信を行うと、玄関先機構部２００の印字部２０８で受信文書を記録出力させる。この記録出力された受信文書を書類投入口あるいは書類排出口から排出させて、訪問者に提示する。
【０２２４】
このように、本実施の形態によれば、玄関先機構部２００の屋外インターフォンマイク２０１と屋外インターフォンスピーカ２０２をＰＨＳ親機３０１を介してＰＨＳ子機３０３に接続した際、所定のファクシミリ装置からファクシミリ画像を受信すると、当該ファクシミリ画像を印字部２０８で記録出力し、あるいは、ＰＨＳ子機３０３からのファクシミリ受信を指定するファクシミリ受信信号に応じて予め指定されたファクシミリ装置へのポーリング受信を行って、当該ポーリング受信で受信したファクシミリ画像を印字部２０８で記録出力している。
【０２２５】
したがって、訪問者に応じたメッセージを文書あるいは画像として提示することができ、より一層適切な応対を可能として、インターフォンシステム１の利用性をより一層向上させることができる。
【０２２６】
図１１は、本発明のインターフォンシステムの第１０の実施の形態を示す図であり、本実施の形態は、屋外インターフォンをＰＨＳ子機に接続した際に、玄関先の訪問者の映像を撮影して、ＰＨＳ子機にファクシミリ送信し、ＰＨＳ子機のＦＡＸディスプレイに表示させるもので、請求項１０に対応するものである。
【０２２７】
なお、本実施の形態は、上記図１と同様のインターフォンシステムに適用したものであり、本実施の形態の説明においては、上記図１で用いた符号をそのまま用いて説明する。
【０２２８】
図１１は、本発明のインターフォンシステムの第１０の実施の形態のインターフォンシステム１のシステム構成図であり、本実施の形態のインターフォンシステム１は、図１１に示すように、屋内機構部１００として、屋内インターフォンマイク１０１、屋内インターフォンスピーカ１０２、接続先切換部１０３、制御部１０４、固定メッセージ選択部５、固定メッセージ発生部１０６、来客モード信号発生部１０７、ディスプレイ表示部１０８及び送信先ＦＡＸ指定部１０９を、玄関先機構部２００として、屋外インターフォンマイク２０１、屋外インターフォンスピーカ２０２、ＣＣＤカメラ１２０３、読取部２０４、ペーパーパス切換部２０５、捺印部２０６、印字メッセージ記憶部２０７、印字部２０８、送信画像メモリ２０９及び荷物受取ボックス２１０を、通信機能部３００として、ＰＨＳ親機３０１、子機位置判別・モード切換部３０２、ＰＨＳ子機３０３を、それぞれ備えている。
【０２２９】
そして、ＰＨＳ子機３０３は、ＦＡＸディスプレイ３０３ａを備えており、ＦＡＸディスプレイ３０３ａは、ファクシミリ画像として送信されてきた画像を表示する機能を有したもので、ディスプレイ自体は、通常のＰＨＳ子機が有しているディスプレイであってもよく、ファクシミリ送信されてきた画像をディスプレイ表示できるものであればどのようなものであってもよい。
【０２３０】
なお、本実施の形態においては、固定メッセージ選択部５、固定メッセージ発生部１０６、来客モード信号発生部１０７、ディスプレイ表示部１０８、送信先ＦＡＸ指定部１０９、読取部２０４、ペーパーパス切換部２０５、捺印部２０６、印字メッセージ記憶部２０７、印字部２０８、送信画像メモリ２０９及び荷物受取ボックス２１０は、必ずしも必要ではない。
【０２３１】
ＣＣＤカメラ２０３は、玄関先に来訪した来客の映像を撮影し、このＣＣＤカメラ２０３の撮影した映像データは、送信画像メモリ２０９に記憶された後、ＰＨＳ親機３０１を介してＰＨＳ子機３０３に送信される。なお、本実施の形態では、ＣＣＤカメラ２０３を用いているが、ＣＣＤカメラ２０３の代わりに、ビデオカメラを使用してもよい。
【０２３２】
次に、本実施の形態の作用を説明する。本実施の形態のインターフォンシステム１は、ＰＨＳ子機３０３が屋内にあるか、屋外にあるかを自動判別してＰＨＳ子機３０３をＰＨＳ親機３０１の子機としての機能を持たせるか、ＰＨＳとしての機能の他にインターフォン機能としての機能を持たせるかを制御するとともに、ＰＨＳ子機３０３が屋外にあるときに、屋外インターフォンをＰＨＳ子機３０３に接続した際に、ＣＣＤカメラ２０３の撮影した訪問者の映像をＰＨＳ子機３０３にファクシミリ送信して、ＰＨＳ子機３０３のＦＡＸディスプレイ３０３ａに表示させるところにその特徴がある。
【０２３３】
すなわち、インターフォンシステム１は、子機位置判別・モード切換部３０２がＰＨＳ子機３０３が屋内にあるか、図１１に遠隔地（Ｃ）の位置に示すように、屋内から持ち出されて屋外にあるかを自動判別する。
【０２３４】
子機位置判別・モード切換部３０２は、ＰＨＳ子機３０３が屋内にあることを検出すると、ＰＨＳ親機３０１にＰＨＳ子機３０３の親機としての機能を持たせるようにモード切換処理を行うとともに、制御部１０４にＰＨＳ子機３０３が屋内にある旨を通知する。したがって、ＰＨＳ子機３０３は、ＰＨＳ親機３０１の子機として機能し、ＰＨＳ親機３０１を介して通常のコードレス電話の子機として機能動作する。
【０２３５】
制御部１０４は、ＰＨＳ子機３０３が屋内にあると、接続先切換部１０３を制御して、屋外インターフォンマイク２０１及び屋外インターフォンスピーカ２０２を屋内インターフォンマイク１０１及び屋内インターフォンスピーカ１０２に接続させ、屋外インターフォンマイク２０１及び屋外インターフォンスピーカ２０２と、屋内インターフォンマイク１０１及び屋内インターフォンスピーカ１０２を使用したインターフォン機能として動作させる。
【０２３６】
また、子機位置判別・モード切換部３０２は、ＰＨＳ子機３０３が図１１の（Ｃ）遠隔地のように屋外にあることを検出すると、ＰＨＳ親機３０１にＰＨＳ子機３０３の親機としての機能を停止させ屋外インターフォンマイク２０１と屋外インターフォンスピーカ２０２を回線を介してＰＨＳ子機３０３に接続する中継モードにモード切換処理を行うとともに、制御部１０４にＰＨＳ子機３０３が屋外にある旨を通知する。したがって、ＰＨＳ子機３０３は、通常のＰＨＳとして機能動作する。
【０２３７】
制御部１０４は、ＰＨＳ子機３０３が屋外にあると、接続先切換部１０３を制御して、屋外インターフォンマイク２０１及び屋外インターフォンスピーカ２０２をＰＨＳ親機３０１に接続させ、屋外インターフォンマイク２０１及び屋外インターフォンスピーカ２０２とＰＨＳ子機３０３を使用したインターフォン機能として動作させるとともに、来客モード信号発生部１０７を動作させて、来客モード信号をＰＨＳ親機３０１を介してＰＨＳ子機３０３に送出させ、また、ディスプレイ表示部１０８を動作させて、インターフォン呼出である旨の来訪情報信号をＰＨＳ親機３０１を介してＰＨＳ子機３０３に送出させる。また、制御部１０４は、固定メッセージ選択部１０５に固定メッセージ発生部１０６の有している音声メッセージのうち、来訪者の種別に応じた音声メッセージを選択させて固定メッセージ発生部１０６に発生させ、当該音声メッセージを屋外インターフォンスピーカ２０２から出力させる。
【０２３８】
したがって、来客があって、図示しないインターフォンボタンが押下されると、制御部１０４は、屋外インターフォンマイク２０１及び屋外インターフォンスピーカ２０２と、ＰＨＳ親機３０１と、を接続して、ＰＨＳ親機３０１は、公衆回線及びＰＨＳ公衆基地局を介してＰＨＳ子機３０３を呼び出すとともに、来客モード信号をＰＨＳ子機３０３に送出し、また、インターフォン呼出である旨の来訪情報信号をＰＨＳ子機３０３に送出し、ＰＨＳ子機３０３は、この来客モード信号を受信すると、インターフォン呼出であることを示す呼出処理を行って、通常の電話による呼出ではなく、インターフォン呼出であることがユーザに分かるようにするとともに、そのディスプレイにインターフォン呼出である旨の表示情報を表示出力する。
【０２３９】
また、インターフォンシステム１は、来訪者の映像をＣＣＤカメラ２０３で撮影し、送信画像メモリ２０９に一旦蓄積した後、ＰＨＳ親機３０１を介してＰＨＳ子機３０３にファクシミリ画像としてファクシミリ送信する。
【０２４０】
ＰＨＳ子機３０３は、ＰＨＳ親機３０１からファクシミリ送信されてくると、受信したファクシミリ画像をＦＡＸディスプレイ３０３aに表示する。
【０２４１】
したがって、ＰＨＳ子機３０３のユーザは、ＦＡＸディスプレイ３０３aに表示される訪問者の画像を見て訪問者が誰であるかを認識することができ、訪問者に応じたインターフォン応対をＰＨＳ子機３０３を使用して行うことができる。
【０２４２】
なお、上記説明では、ＣＣＤカメラ２０３の撮影した訪問者の画像をファクシミリ画像としてＰＨＳ子機３０３にファクシミリ送信しているが、画像の送信形態は、ファクシミリ送信に限るものではなく、例えば、画像を所定の圧縮方式、例えば、ＪＰＥＧ等で圧縮して、通常の電話の画像送信方式で送信してもよい。
【０２４３】
このように、本実施の形態によれば、玄関先機構部２００の屋外インターフォンマイク２０１と屋外インターフォンスピーカ２０２をＰＨＳ親機３０１を介してＰＨＳ子機３０３に接続した際、ＣＣＤカメラ２０３で玄関先の訪問者の映像を撮影して、当該撮影した映像をＰＨＳ親機３０１を介してＰＨＳ子機３０３に送信し、ＰＨＳ子機３０３で送信されてきた映像をＦＡＸディスプレイ３０３ａに表示出力している。
【０２４４】
したがって、遠隔地で訪問者が誰であるかを映像によりＰＨＳ子機３０３で確認することができ、より一層適切な応対を可能として、インターフォンシステム１の利用性をより一層向上させることができる。
【０２４５】
図１２は、本発明のインターフォンシステムの第１１の実施の形態を示す図であり、本実施の形態は、屋外インターフォンをＰＨＳ子機に接続した際に、玄関先の訪問者の映像を撮影して、指定されたファクシミリ装置にファクシミリ送信させるもので、請求項１１に対応するものである。
【０２４６】
なお、本実施の形態は、上記図１と同様のインターフォンシステムに適用したものであり、本実施の形態の説明においては、上記図１で用いた符号をそのまま用いて説明する。
【０２４７】
図１２は、本発明のインターフォンシステムの第１１の実施の形態のインターフォンシステム１のシステム構成図であり、本実施の形態のインターフォンシステム１は、図１２に示すように、屋内機構部１００として、屋内インターフォンマイク１０１、屋内インターフォンスピーカ１０２、接続先切換部１０３、制御部１０４、固定メッセージ選択部５、固定メッセージ発生部１０６、来客モード信号発生部１０７、ディスプレイ表示部１０８及び送信先ＦＡＸ指定部１０９を、玄関先機構部２００として、屋外インターフォンマイク２０１、屋外インターフォンスピーカ２０２、ＣＣＤカメラ１２０３、読取部２０４、ペーパーパス切換部２０５、捺印部２０６、印字メッセージ記憶部２０７、印字部２０８、送信画像メモリ２０９及び荷物受取ボックス２１０を、通信機能部３００として、ＰＨＳ親機３０１、子機位置判別・モード切換部３０２、ＰＨＳ子機３０３を、それぞれ備えている。そして、ＰＨＳ子機３０３は、ＦＡＸディスプレイ３０３ａを備えている。なお、本実施の形態においては、固定メッセージ選択部５、固定メッセージ発生部１０６、来客モード信号発生部１０７、ディスプレイ表示部１０８、読取部２０４、ペーパーパス切換部２０５、捺印部２０６、印字メッセージ記憶部２０７、印字部２０８及び荷物受取ボックス２１０は、必ずしも必要ではない。
【０２４８】
ＣＣＤカメラ２０３は、玄関先に来訪した来客の映像を撮影し、このＣＣＤカメラ２０３の撮影した映像データは、送信画像メモリ２０９に記憶された後、ＰＨＳ親機３０１を介して指定ＦＡＸ４０１にファクシミリ送信される。なお、本実施の形態では、ＣＣＤカメラ２０３を用いているが、ＣＣＤカメラ２０３の代わりに、ビデオカメラを使用してもよい。
【０２４９】
インターフォンシステム１は、このＣＣＤカメラ２０３で撮影された映像をファクシミリ送信するファクシミリ装置である指定ＦＡＸ４０１が送信先ＦＡＸ指定部１０９で予め指定されている。
【０２５０】
次に、本実施の形態の作用を説明する。本実施の形態のインターフォンシステム１は、ＰＨＳ子機３０３が屋内にあるか、屋外にあるかを自動判別してＰＨＳ子機３０３をＰＨＳ親機３０１の子機としての機能を持たせるか、ＰＨＳとしての機能の他にインターフォン機能としての機能を持たせるかを制御するとともに、ＰＨＳ子機３０３が屋外にあるときに、屋外インターフォンをＰＨＳ子機３０３に接続した際に、ＣＣＤカメラ２０３の撮影した玄関先の訪問者の映像を予め指定された指定ＦＡＸ４０１にファクシミリ送信するところにその特徴がある。
【０２５１】
すなわち、インターフォンシステム１は、子機位置判別・モード切換部３０２がＰＨＳ子機３０３が屋内にあるか、図１２に遠隔地（Ｃ）の位置に示すように、屋内から持ち出されて屋外にあるかを自動判別する。
【０２５２】
子機位置判別・モード切換部３０２は、ＰＨＳ子機３０３が屋内にあることを検出すると、ＰＨＳ親機３０１にＰＨＳ子機３０３の親機としての機能を持たせるようにモード切換処理を行うとともに、制御部１０４にＰＨＳ子機３０３が屋内にある旨を通知する。したがって、ＰＨＳ子機３０３は、ＰＨＳ親機３０１の子機として機能し、ＰＨＳ親機３０１を介して通常のコードレス電話の子機として機能動作する。
【０２５３】
制御部１０４は、ＰＨＳ子機３０３が屋内にあると、接続先切換部１０３を制御して、屋外インターフォンマイク２０１及び屋外インターフォンスピーカ２０２を屋内インターフォンマイク１０１及び屋内インターフォンスピーカ１０２に接続させ、屋外インターフォンマイク２０１及び屋外インターフォンスピーカ２０２と、屋内インターフォンマイク１０１及び屋内インターフォンスピーカ１０２を使用したインターフォン機能として動作させる。
【０２５４】
また、子機位置判別・モード切換部３０２は、ＰＨＳ子機３０３が図１２の（Ｃ）遠隔地のように屋外にあることを検出すると、ＰＨＳ親機３０１にＰＨＳ子機３０３の親機としての機能を停止させ屋外インターフォンマイク２０１と屋外インターフォンスピーカ２０２を回線を介してＰＨＳ子機３０３に接続する中継モードにモード切換処理を行うとともに、制御部１０４にＰＨＳ子機３０３が屋外にある旨を通知する。したがって、ＰＨＳ子機３０３は、通常のＰＨＳとして機能動作する。
【０２５５】
制御部１０４は、ＰＨＳ子機３０３が屋外にあると、接続先切換部１０３を制御して、屋外インターフォンマイク２０１及び屋外インターフォンスピーカ２０２をＰＨＳ親機３０１に接続させ、屋外インターフォンマイク２０１及び屋外インターフォンスピーカ２０２とＰＨＳ子機３０３を使用したインターフォン機能として動作させるとともに、来客モード信号発生部１０７を動作させて、来客モード信号をＰＨＳ親機３０１を介してＰＨＳ子機３０３に送出させ、また、ディスプレイ表示部１０８を動作させて、インターフォン呼出である旨の来訪情報信号をＰＨＳ親機３０１を介してＰＨＳ子機３０３に送出させる。また、制御部１０４は、固定メッセージ選択部１０５に固定メッセージ発生部１０６の有している音声メッセージのうち、来訪者の種別に応じた音声メッセージを選択させて固定メッセージ発生部１０６に発生させ、当該音声メッセージを屋外インターフォンスピーカ２０２から出力させる。
【０２５６】
したがって、来客があって、図示しないインターフォンボタンが押下されると、制御部１０４は、屋外インターフォンマイク２０１及び屋外インターフォンスピーカ２０２と、ＰＨＳ親機３０１と、を接続して、ＰＨＳ親機３０１は、公衆回線及びＰＨＳ公衆基地局を介してＰＨＳ子機３０３を呼び出すとともに、来客モード信号をＰＨＳ子機３０３に送出し、また、インターフォン呼出である旨の来訪情報信号をＰＨＳ子機３０３に送出し、ＰＨＳ子機３０３は、この来客モード信号を受信すると、インターフォン呼出であることを示す呼出処理を行って、通常の電話による呼出ではなく、インターフォン呼出であることがユーザに分かるようにするとともに、そのディスプレイにインターフォン呼出である旨の表示情報を表示出力する。
【０２５７】
また、インターフォンシステム１は、来訪者の映像をＣＣＤカメラ２０３で撮影し、送信画像メモリ２０９に一旦蓄積した後、ＰＨＳ親機３０１を介して送信先ＦＡＸ指定部１０９で指定された指定ＦＡＸ４０１にファクシミリ画像としてファクシミリ送信する。
【０２５８】
指定ＦＡＸ４０１は、ＰＨＳ親機３０１からファクシミリ送信されてくると、受信したファクシミリ画像を記録紙に記録出力する。
【０２５９】
したがって、ＰＨＳ子機３０３のユーザは、指定ＦＡＸ４０１で記録出力された訪問者の画像を見て訪問者が誰であるかを認識することができ、訪問者に応じたインターフォン応対をＰＨＳ子機３０３を使用して行うことができる。
【０２６０】
このように、本実施の形態によれば、玄関先機構部２００の屋外インターフォンマイク２０１及び屋外インターフォンスピーカ２０２をＰＨＳ親機３０１を介してＰＨＳ子機３０３に接続した際、ＣＣＤカメラ２０６で玄関先の訪問者を撮影して当該撮影した映像を予め指定されたファクシミリ装置にファクシミリ送信している。
【０２６１】
したがって、遠隔地で訪問者が誰であるかをより鮮明で大きな映像により確認することができ、より一層適切な応対を可能として、インターフォンシステム１の利用性をより一層向上させることができる。
【０２６２】
以上、本発明者によってなされた発明を好適な実施の形態に基づき具体的に説明したが、本発明は上記のものに限定されるものではなく、その要旨を逸脱しない範囲で種々変更可能であることはいうまでもない。
【０２６３】
【発明の効果】
請求項１記載の発明のインターフォンシステムによれば、屋内では公衆回線に接続された親機と無線接続してコードレス電話機として機能するとともに、屋外に持ち出されると公衆基地局と接続して携帯電話機として機能する携帯通信端末が、屋内にあるか屋外にあるかを判別し、携帯通信端末が屋内にあると、玄関先の訪問者と少なくとも音声による応対を行うための屋外インターフォン手段を屋内インターフォン手段に接続して屋内インターフォン手段を使用した応対を可能とし、携帯通信端末が屋外に持ち出されると、屋外インターフォン手段を親機に接続して、親機を介して接続される携帯通信端末を使用した応対を可能としているので、いちいち留守設定等を行うことなく、携帯通信端末を携帯して外出した際に、玄関先の訪問者と携帯通信端末を使用した応対を行うことができ、インターフォンシステムの利用性を向上させることができる。
【０２６４】
請求項２記載の発明のインターフォンシステムによれば、屋外インターフォン手段が親機を介して携帯通信端末に接続されると、所定の音声メッセージを屋外インターフォン手段を通して出力するので、外出先でインターフォン呼出に対して応答することができない場合や重要な訪問者の来訪の予定のない場合等に訪問者に対して所定の音声メッセージを流して、携帯通信端末で応対することなく、音声メッセージで適切に応対することができ、インターフォンシステムの利用性をより一層向上させることができる。
【０２６５】
請求項３記載の発明のインターフォンシステムによれば、屋外インターフォン手段が親機を介して携帯通信端末に接続されると、携帯通信端末からの所定の制御信号に基づいて、複数の音声メッセージの１つを選択して屋外インターフォン手段を通して出力させるので、悪徳セールスマンや新聞の集金の来訪等の訪問者の種別等に応じて音声メッセージを適宜選択して出力して、訪問者の種別に適した応対を行うことができ、インターフォンシステムの利用性をより一層向上させることができる。
【０２６６】
請求項４記載の発明のインターフォンシステムによれば、屋外インターフォン手段を親機を介して携帯通信端末に接続した際に親機からの来訪に対する呼出であることを示す来訪信号を携帯通信端末に出力し、携帯通信端末が、来訪信号を受信すると、通常の電話呼出とは異なる呼出形態、例えば、呼出音を変化させたり、バイブレーションを変化させる等の呼出形態で呼出を行うので、来訪による呼出であるか通常の電話による呼出であるかが分かるようにすることができ、当該呼出に応対する際に適切な応対を可能として、インターフォンシステムの利用性をより一層向上させることができる。
【０２６７】
請求項５記載の発明のインターフォンシステムによれば、屋外インターフォン手段を親機を介して携帯通信端末に接続した際に親機からの来訪に対する呼出である旨の来訪情報信号を携帯通信端末に出力し、携帯通信端末が、来訪情報信号を受信すると、呼出を行う際に来訪呼出である旨の情報を呼出表示手段に表示するので、周囲の雑音等に影響されることなく、来訪による呼出であるか通常の電話による呼出であるかがより一層確実に分かるようにすることができ、当該呼出に応対する際により適切な応対を可能として、インターフォンシステムの利用性をより一層向上させることができる。
【０２６８】
請求項６記載の発明のインターフォンシステムによれば、屋外インターフォン手段を親機を介して携帯通信端末に接続し、携帯通信端末からメッセージ情報が送られてくると、記録手段で当該メッセージ情報に対応したメッセージを記録出力して訪問者に提示するので、訪問者に適切にメッセージを伝達することができ、より一層適切な応対を可能として、インターフォンシステムの利用性をより一層向上させることができる。
【０２６９】
請求項７記載の発明のインターフォンシステムによれば、屋外インターフォン手段を親機を介して携帯通信端末に接続した際、荷物受取ボックスに荷物が投入されて、読取手段に用紙が挿入され、携帯通信端末から捺印を指示する捺印信号が入力されると、搬送経路切換手段により読取手段の読み取った用紙を捺印手段に搬送して、読取手段の読み取った用紙の画像情報に基づいて捺印手段で用紙の所定位置に捺印処理を行った後、当該用紙を排出するので、宅配便等で伝票等の用紙に捺印やサイン等を必要とする場合にも、適切に捺印を行うことができ、より一層適切な応対を行うことができるとともに、通常のファクシミリ装置に捺印手段と搬送路切換手段を設けるだけで捺印処理を行って用紙を訪問者に排出することができ、インターフォンシステムを安価で、かつ、より一層利用性の良好なものとすることができる。
【０２７０】
請求項８記載の発明のインターフォンシステムによれば、屋外インターフォン手段を親機を介して携帯通信端末に接続した際、読取手段に挿入された用紙を読み取って、当該読み取った画像を予め指定されたファクシミリ装置へ送信するので、宅配便の伝票等の訪問者の提示した用紙をファクシミリ送信されてきた画像で確認して、訪問者の用件を適切かつ確実に把握することができ、より一層適切な応対を可能として、インターフォンシステムの利用性をより一層向上させることができる。
【０２７１】
請求項９記載の発明のインターフォンシステムによれば、屋外インターフォン手段を親機を介して携帯通信端末に接続した際、所定のファクシミリ装置からファクシミリ画像を受信すると、当該ファクシミリ画像を記録手段で記録出力し、あるいは、携帯通信端末からのファクシミリ受信を指定するファクシミリ受信信号に応じて予め指定されたファクシミリ装置へのポーリング受信を行って、当該ポーリング受信で受信したファクシミリ画像を記録手段で記録出力するので、訪問者に応じたメッセージを文書あるいは画像として提示することができ、より一層適切な応対を可能として、インターフォンシステムの利用性をより一層向上させることができる。
【０２７２】
請求項１０記載の発明のインターフォンシステムによれば、屋外インターフォン手段を親機を介して携帯通信端末に接続した際、撮影手段で玄関先の訪問者の映像を撮影して、当該撮影した映像を親機を介して携帯通信端末に送信し、携帯通信端末で送信されてきた映像を表示手段に表示出力するので、遠隔地で訪問者が誰であるかを映像により携帯通信端末で確認することができ、より一層適切な応対を可能として、インターフォンシステムの利用性をより一層向上させることができる。
【０２７３】
請求項１１記載の発明のインターフォンシステムによれば、屋外インターフォン手段を親機を介して携帯通信端末に接続した際、撮影手段で玄関先の訪問者の映像を撮影して、当該撮影した映像を予め指定されたファクシミリ装置にファクシミリ送信するので、遠隔地で訪問者が誰であるかをより鮮明で大きな映像により確認することができ、より一層適切な応対を可能として、インターフォンシステムの利用性をより一層向上させることができる。
【図面の簡単な説明】
【図１】本発明のインターフォンシステムの全体ブロック構成図。
【図２】本発明のインターフォンシステムの第１の実施の形態を適用したインターフォンシステムの要部ブロック構成図。
【図３】本発明のインターフォンシステムの第２の実施の形態を適用したインターフォンシステムの要部ブロック構成図。
【図４】本発明のインターフォンシステムの第３の実施の形態を適用したインターフォンシステムの要部ブロック構成図。
【図５】本発明のインターフォンシステムの第４の実施の形態を適用したインターフォンシステムの要部ブロック構成図。
【図６】本発明のインターフォンシステムの第５の実施の形態を適用したインターフォンシステムの要部ブロック構成図。
【図７】本発明のインターフォンシステムの第６の実施の形態を適用したインターフォンシステムの要部ブロック構成図。
【図８】本発明のインターフォンシステムの第７の実施の形態を適用したインターフォンシステムの要部ブロック構成図。
【図９】本発明のインターフォンシステムの第８の実施の形態を適用したインターフォンシステムの要部ブロック構成図。
【図１０】本発明のインターフォンシステムの第９の実施の形態を適用したインターフォンシステムの要部ブロック構成図。
【図１１】本発明のインターフォンシステムの第１０の実施の形態を適用したインターフォンシステムの要部ブロック構成図。
【図１２】本発明のインターフォンシステムの第１１の実施の形態を適用したインターフォンシステムの要部ブロック構成図。
【符号の説明】
１  インターフォンシステム
１００  屋内機構部
１０１  屋内インターフォンマイク
１０２  屋内インターフォンスピーカ
１０３  接続先切換部
１０４  制御部
１０５  固定メッセージ選択部
１０６  固定メッセージ発生部
１０７  来客モード信号発生部
１０８  ディスプレイ表示部
１０９  送信先ＦＡＸ指定部
２００  玄関先機構部
２０１  屋外インターフォンマイク
２０２  屋外インターフォンスピーカ
２０３  ＣＣＤカメラ
２０４  読取部
２０５  ペーパーパス切換部
２０６  捺印部
２０７  印字メッセージ記憶部
２０８  印字部
２０９  送信画像メモリ
２１０  荷物受取ボックス（荷物受取ＢＯＸ）
３００  通信機後部
３０１  ＰＨＳ親機
３０２  子機位置判別・モード切換部
３０３  ＰＨＳ子機
３０３a  ＦＡＸディスプレイ
４０１  指定ＦＡＸ
【図１】
0003828306.tif 000002
【図２】
0003828306.tif 000003
【図３】
0003828306.tif 000004
【図４】
0003828306.tif 000005
【図５】
0003828306.tif 000006
【図６】
0003828306.tif 000007
【図７】
0003828306.tif 000008
【図８】
0003828306.tif 000009
【図９】
0003828306.tif 000010
【図１０】
0003828306.tif 000011
【図１１】
0003828306.tif 000012
【図１２】
0003828306.tif 000013